(57)【特許請求の範囲】
【請求項１】
ネットワークを介して接続される画像提供装置と携帯型端末装置とからなる画像提供システムであって、
前記画像提供装置は、
写真シール作成装置において生成された複数の画像を記憶する記憶手段と、
全ての前記画像の一覧を生成する生成手段と、
前記全ての前記画像の一覧を前記携帯型端末装置に送信するとともに、その前記全ての前記画像の一覧の送信後、前記携帯型端末装置において前記全ての前記画像の一覧から選択された前記画像の拡大表示用の画像を前記携帯型端末装置に送信してから、前記携帯型端末装置の要求に応じて、前記画像を前記携帯型端末装置に送信し、特定の会員に対しては、前記全ての前記画像を前記携帯型端末装置に送信可能とするとともに、前記特定の会員とは異なる会員に対しては、前記全ての前記画像の一覧から選択されたいくつかの前記画像を前記携帯型端末装置に送信可能とする送信手段と
を備え、
前記携帯型端末装置は、
前記画像提供装置から前記全ての前記画像の一覧を受信するとともに、前記画像提供装置から前記拡大表示用の画像を受信する受信手段と、
前記全ての前記画像の一覧を表示した後、前記全ての前記画像の一覧から前記画像が選択されて前記画像提供装置から受信した前記拡大表示用の画像を表示する表示手段と、
前記拡大表示用の画像が表示された後、前記全ての前記画像の一覧から選択された前記画像の送信を要求し、前記画像提供装置から前記画像を取得する画像取得手段と
を備える
画像提供システム。
【請求項２】
写真シール作成装置において生成された複数の画像を記憶する記憶手段と、
全ての前記画像の一覧を生成する生成手段と、
前記全ての前記画像の一覧を携帯型端末装置に送信するとともに、その前記全ての前記画像の一覧の送信後、前記携帯型端末装置において前記全ての前記画像の一覧から選択された前記画像の拡大表示用の画像を前記携帯型端末装置に送信してから、前記携帯型端末装置の要求に応じて、前記全ての前記画像の一覧から選択された前記画像を前記携帯型端末装置に送信し、特定の会員に対しては、前記全ての前記画像を前記携帯型端末装置に送信可能とするとともに、前記特定の会員とは異なる会員に対しては、前記全ての前記画像の一覧から選択されたいくつかの前記画像を前記携帯型端末装置に送信可能とする送信手段と
を備える画像提供装置。
【請求項３】
前記生成手段は、前記画像が所定の順番で並べられて表示されるように、前記全ての前記画像の一覧を生成する
請求項２に記載の画像提供装置。
【請求項４】
前記拡大表示用の画像は、前記全ての前記画像の一覧から選択された前記画像に所定の加工を施すことにより生成される
請求項２または請求項３に記載の画像提供装置。
【請求項５】
前記記憶手段は、複数の前記画像のうち、前記写真シール作成装置において利用者により選択された前記画像を示す選択情報をさらに記憶し、
前記生成手段は、前記選択情報により示される前記画像と、他の前記画像とが異なる表示形式で表示されるように、前記全ての前記画像の一覧を生成する
請求項２乃至請求項４の何れかに記載の画像提供装置。
【請求項６】
前記送信手段は、前記選択情報により示される前記画像が表示されるとともに、その前記画像を取得するためのボタンと、前記全ての前記画像の一覧を表示させるためのボタンとが設けられたウェブページを前記携帯型端末装置に送信し、
前記生成手段は、前記全ての前記画像の一覧を表示させるためのボタンが操作され、前記携帯型端末装置から前記全ての前記画像の一覧の送信が要求された場合、前記全ての前記画像の一覧を生成する
請求項５に記載の画像提供装置。
【請求項７】
前記送信手段は、複数の前記画像のうちの予め定められた所定の数の前記画像が、複数の前記携帯型端末装置に提供される場合、他の前記携帯型端末装置において前記全ての前記画像の一覧から前記所定の数だけ所定の画像が選択された後、前記携帯型端末装置において前記全ての前記画像の一覧から前記所定の画像とは異なる画像が選択されたとき、既に前記携帯型端末装置に送信される前記画像が選択されている旨のメッセージを前記携帯型端末装置に送信する
請求項２乃至請求項４の何れかに記載の画像提供装置。
【請求項８】
写真シール作成装置において生成された複数の画像の記憶を制御し、
全ての前記画像の一覧を生成し、
前記全ての前記画像の一覧の携帯型端末装置への送信を制御するとともに、その前記全ての前記画像の一覧の送信後、前記携帯型端末装置において前記全ての前記画像の一覧から選択された前記画像の拡大表示用の画像の前記携帯型端末装置への送信を制御してから、前記携帯型端末装置の要求に応じて、前記全ての前記画像の一覧から選択された前記画像の前記携帯型端末装置への送信を制御し、特定の会員に対しては、前記全ての前記画像を前記携帯型端末装置に送信可能とするとともに、前記特定の会員とは異なる会員に対しては、前記全ての前記画像の一覧から選択されたいくつかの前記画像を前記携帯型端末装置に送信可能とする
ステップを含む画像提供方法。
【請求項９】
写真シール作成装置において生成された複数の画像の記憶を制御し、
全ての前記画像の一覧を生成し、
前記全ての前記画像の一覧の携帯型端末装置への送信を制御するとともに、その前記全ての前記画像の一覧の送信後、前記携帯型端末装置において前記全ての前記画像の一覧から選択された前記画像の拡大表示用の画像の前記携帯型端末装置への送信を制御してから、前記携帯型端末装置の要求に応じて、前記全ての前記画像の一覧から選択された前記画像の前記携帯型端末装置への送信を制御し、特定の会員に対しては、前記全ての前記画像を前記携帯型端末装置に送信可能とするとともに、前記特定の会員とは異なる会員に対しては、前記全ての前記画像の一覧から選択されたいくつかの前記画像を前記携帯型端末装置に送信可能とする
ステップを含む処理をコンピュータに実行させるプログラム。
【発明の詳細な説明】
【技術分野】
【０００１】
本発明は画像提供システム、画像提供装置および方法、並びにプログラムに関し、特に、利用者の満足度を向上させることができるようにした画像提供システム、画像提供装置および方法、並びにプログラムに関する。
【背景技術】
【０００２】
従来、利用者を撮影して得られた撮影画像、または撮影画像に対して編集（落書き）が施された編集画像をシール紙に印刷して提供する写真シール機が知られている。このような写真シール機は娯楽（遊戯）施設等に設置され、写真シール機により提供される１ゲームは、利用者の撮影、撮影画像の編集、シール紙への印刷という流れになっている。
【０００３】
多くの写真シール機には、撮影画像にタッチペンなどで任意の文字や図形、スタンプ画像を合成することのできる編集機能が備えられており、女子中学生や女子高校生などが複数人の友達同士で、編集機能を利用した編集や提供されるゲームを楽しんでいる。
【０００４】
また、近年の写真シール機には、撮影画像や編集画像をシール紙に印刷するほか、シール紙の印刷の待ち時間や、編集処理の開始からシール紙への印刷終了までの間に、撮影画像や編集画像を利用者の携帯型端末装置に送信できるものもある。
【０００５】
例えば、そのような写真シール機には、撮影画像や編集画像を管理サーバに送信して保存させておき、携帯サイトにおいて撮影画像や編集画像を閲覧できるようにしているものがある（例えば、特許文献１参照）。
【０００６】
具体的には、有料携帯サイト（会員サイト）に登録した有料会員は、有料携帯サイトにアクセスすることで、写真シール機で生成した全ての撮影画像と編集画像、つまり管理サーバに保存されている全ての撮影画像と編集画像を閲覧することができる。一方、無料会員は、無料携帯サイトにアクセスすると、写真シール機で生成した撮影画像または編集画像を１つだけ得ることができ、得られた画像を携帯型端末装置の保存機能を利用して閲覧することができる。
【０００７】
また、非接触の通信方式で撮影画像や編集画像の一部を携帯型端末装置に転送するとともに、携帯型端末装置に転送できなかった画像も管理サーバに送信して保存させておくことができる写真シール機もある（例えば、特許文献２参照）。
【先行技術文献】
【特許文献】
【０００８】
【特許文献１】特開２００８−１９１７１４号公報
【特許文献２】特開２００８−１０９５８０号公報
【発明の概要】
【発明が解決しようとする課題】
【０００９】
しかしながら、上述した技術では、無料会員は、写真シール機において生成された撮影画像や編集画像のうち、携帯型端末装置に送信して保存させる画像を１枚だけしか選択することができなかった。
【００１０】
そのため、撮影画像等の選択後に、実際に携帯型端末装置で画像を表示させて確認した結果、撮影画像等の見映えが悪かったなど、選択した撮影画像等に利用者が満足できないことがあった。そのような場合、選択された撮影画像等は、携帯型端末装置に保存されることなく無駄になってしまうこともある。
【００１１】
本発明は、このような状況に鑑みてなされたものであり、利用者の満足度を向上させることができるようにするものである。
【課題を解決するための手段】
【００１２】
本発明の画像提供システムは、ネットワークを介して接続される画像提供装置と携帯型端末装置とからなる画像提供システムであって、前記画像提供装置は、写真シール作成装置において生成された複数の画像を記憶する記憶手段と、全ての前記画像の一覧を生成する生成手段と、前記全ての前記画像の一覧を前記携帯型端末装置に送信するとともに、その前記全ての前記画像の一覧の送信後、前記携帯型端末装置において前記全ての前記画像の一覧から選択された前記画像の拡大表示用の画像を前記携帯型端末装置に送信してから、前記携帯型端末装置の要求に応じて、前記画像を前記携帯型端末装置に送信し、特定の会員に対しては、前記全ての前記画像を前記携帯型端末装置に送信可能とするとともに、前記特定の会員とは異なる会員に対しては、前記全ての前記画像の一覧から選択されたいくつかの前記画像を前記携帯型端末装置に送信可能とする送信手段とを備え、前記携帯型端末装置は、前記画像提供装置から前記全ての前記画像の一覧を受信するとともに、前記画像提供装置から前記拡大表示用の画像を受信する受信手段と、前記全ての前記画像の一覧を表示した後、前記全ての前記画像の一覧から前記画像が選択されて前記画像提供装置から受信した前記拡大表示用の画像を表示する表示手段と、前記拡大表示用の画像が表示された後、前記全ての前記画像の一覧から選択された前記画像の送信を要求し、前記画像提供装置から前記画像を取得する画像取得手段とを備える。
【００１３】
本発明の画像提供システムにおいては、携帯型端末装置とネットワークを介して接続される画像提供装置において、写真シール作成装置において生成された複数の画像が記憶され、全ての前記画像の一覧が生成され、前記全ての前記画像の一覧が前記携帯型端末装置に送信されるとともに、その前記全ての前記画像の一覧の送信後、前記携帯型端末装置において前記全ての前記画像の一覧から選択された前記画像の拡大表示用の画像が前記携帯型端末装置に送信されてから、前記携帯型端末装置の要求に応じて、前記画像が前記携帯型端末装置に送信される。このとき、特定の会員に対しては、前記全ての前記画像が前記携帯型端末装置に送信可能とされるとともに、前記特定の会員とは異なる会員に対しては、前記全ての前記画像の一覧から選択されたいくつかの前記画像が前記携帯型端末装置に送信可能とされる。また、前記携帯型端末装置において、前記画像提供装置から前記全ての前記画像の一覧が受信され、前記全ての前記画像の一覧が表示され、前記全ての前記画像の一覧から前記画像が選択されて、前記拡大表示用の画像が受信されて表示され、前記全ての前記画像の一覧から選択された前記画像の送信が要求され、前記画像提供装置から前記画像が取得される。
【００１４】
本発明の画像提供装置は、写真シール作成装置において生成された複数の画像を記憶する記憶手段と、全ての前記画像の一覧を生成する生成手段と、前記全ての前記画像の一覧を携帯型端末装置に送信するとともに、その前記全ての前記画像の一覧の送信後、前記携帯型端末装置において前記全ての前記画像の一覧から選択された前記画像の拡大表示用の画像を前記携帯型端末装置に送信してから、前記携帯型端末装置の要求に応じて、前記全ての前記画像の一覧から選択された前記画像を前記携帯型端末装置に送信し、特定の会員に対しては、前記全ての前記画像を前記携帯型端末装置に送信可能とするとともに、前記特定の会員とは異なる会員に対しては、前記全ての前記画像の一覧から選択されたいくつかの前記画像を前記携帯型端末装置に送信可能とする送信手段とを備える。
【００１５】
前記生成手段には、前記画像が所定の順番で並べられて表示されるように、前記全ての前記画像の一覧を生成させることができる。
【００１８】
前記拡大表示用の画像が、前記全ての前記画像の一覧から選択された前記画像に所定の加工を施すことにより生成されるようにすることができる。
【００１９】
前記記憶手段には、複数の前記画像のうち、前記写真シール作成装置において利用者により選択された前記画像を示す選択情報をさらに記憶させ、前記生成手段には、前記選択情報により示される前記画像と、他の前記画像とが異なる表示形式で表示されるように、前記全ての前記画像の一覧を生成させることができる。
【００２０】
前記送信手段には、前記選択情報により示される前記画像が表示されるとともに、その前記画像を取得するためのボタンと、前記全ての前記画像の一覧を表示させるためのボタンとが設けられたウェブページを前記携帯型端末装置に送信させ、前記生成手段には、前記全ての前記画像の一覧を表示させるためのボタンが操作され、前記携帯型端末装置から前記全ての前記画像の一覧の送信が要求された場合、前記全ての前記画像の一覧を生成させることができる。
【００２１】
前記送信手段には、複数の前記画像のうちの予め定められた所定の数の前記画像が、複数の前記携帯型端末装置に提供される場合、他の前記携帯型端末装置において前記全ての前記画像の一覧から前記所定の数だけ所定の画像が選択された後、前記携帯型端末装置において前記全ての前記画像の一覧から前記所定の画像とは異なる画像が選択されたとき、既に前記携帯型端末装置に送信される前記画像が選択されている旨のメッセージを前記携帯型端末装置に送信させることができる。
【００２２】
本発明の画像提供方法またはプログラムは、写真シール作成装置において生成された複数の画像の記憶を制御し、全ての前記画像の一覧を生成し、前記全ての前記画像の一覧の携帯型端末装置への送信を制御するとともに、その前記全ての前記画像の一覧の送信後、前記携帯型端末装置において前記全ての前記画像の一覧から選択された前記画像の拡大表示用の画像の前記携帯型端末装置への送信を制御してから、前記携帯型端末装置の要求に応じて、前記全ての前記画像の一覧から選択された前記画像の前記携帯型端末装置への送信を制御し、特定の会員に対しては、前記全ての前記画像を前記携帯型端末装置に送信可能とするとともに、前記特定の会員とは異なる会員に対しては、前記全ての前記画像の一覧から選択されたいくつかの前記画像を前記携帯型端末装置に送信可能とするステップを含む。
【００２３】
本発明の画像提供装置、画像提供方法、またはプログラムにおいては、写真シール作成装置において生成された複数の画像が記憶され、全ての前記画像の一覧が生成され、前記全ての前記画像の一覧が携帯型端末装置に送信されるとともに、その前記全ての前記画像の一覧の送信後、前記携帯型端末装置において前記全ての前記画像の一覧から選択された前記画像の拡大表示用の画像が前記携帯型端末装置に送信されてから、前記携帯型端末装置の要求に応じて、前記全ての前記画像の一覧から選択された前記画像が前記携帯型端末装置に送信される。このとき、特定の会員に対しては、前記全ての前記画像が前記携帯型端末装置に送信可能とされるとともに、前記特定の会員とは異なる会員に対しては、前記全ての前記画像の一覧から選択されたいくつかの前記画像が前記携帯型端末装置に送信可能とされる。
【発明の効果】
【００２４】
本発明によれば、利用者の満足度を向上させることができる。
【図面の簡単な説明】
【００２５】
【図１】本発明の画像提供システムの構成例を示す図である。
【図２】写真シール機の外観の構成例を示す斜視図である。
【図３】カーテンを取り付けた状態の写真シール機の外観を示す斜視図である。
【図４】写真シール機の外観を他の角度からみた斜視図である。
【図５】利用者の移動について説明する図である。
【図６】撮影部の構成例を示す図である。
【図７】撮影部の色について説明する図である。
【図８】背景部の構成例を示す図である。
【図９】編集部の構成例を示す図である。
【図１０】事後接客部の構成例を示す図である。
【図１１】写真シール機の内部の構成例を示す図である。
【図１２】管理サーバの構成例を示す図である。
【図１３】管理サーバの機能的な構成例を示す図である。
【図１４】携帯型端末装置の構成例を示す図である。
【図１５】携帯型端末装置の機能的な構成例を示す図である。
【図１６】写真シール作成ゲーム処理について説明するフローチャートである。
【図１７】携帯型端末装置における画面遷移の一例を示す図である。
【図１８】画像管理処理について説明するフローチャートである。
【図１９】画像取得処理について説明するフローチャートである。
【図２０】携帯型端末装置における画面表示の例を示す図である。
【図２１】画像管理処理について説明するフローチャートである。
【図２２】画像取得処理について説明するフローチャートである。
【図２３】画像取得処理について説明するフローチャートである。
【図２４】シール紙の一例を示す図である。
【図２５】写真シール作成ゲーム処理について説明するフローチャートである。
【図２６】画像取得処理について説明するフローチャートである。
【図２７】画像提供処理について説明するフローチャートである。
【図２８】携帯型端末装置における画面遷移の例を示す図である。
【図２９】画像管理処理について説明するフローチャートである。
【図３０】画像取得処理について説明するフローチャートである。
【発明を実施するための形態】
【００２６】
以下、図面を参照して、本発明を適用した実施の形態について説明する。
【００２７】
〈第１の実施の形態〉
［画像提供システムの構成例］
図１は、本発明を適用した画像提供システムの一実施の形態の構成例を示す図である。
【００２８】
この画像提供システムは、写真シール機１、携帯型端末装置２、および管理サーバ３から構成される。
【００２９】
写真シール機１は、利用者を被写体として撮影し、その結果得られた撮影画像に対して利用者の操作に応じた編集を行なって、編集された撮影画像（以下、編集画像とも称する）をシール紙に印刷して提供するゲームを、利用者に対して提供する。
【００３０】
携帯型端末装置２は、写真シール機１が提供するゲームを行い、シール紙を受け取る利用者が携帯している携帯電話機や携帯型のコンピュータなどの端末装置である。また、管理サーバ３は、例えば写真シール機１のメーカーが管理する画像処理装置である。
【００３１】
写真シール機１には、非接触型ＩＣとの間で近接通信を行うリーダ／ライタが設けられており、携帯型端末装置２には非接触型ＩＣが内蔵されている。図１の画像提供システムでは、写真シール機１と携帯型端末装置２の間の情報の送受信は、携帯型端末装置２が写真シール機１のリーダ／ライタにかざされたときに、非接触型ＩＣを用いた近接通信により行われる。
【００３２】
また、写真シール機１と管理サーバ３の間の情報の送受信や、携帯型端末装置２と管理サーバ３との間の情報の送受信は、インターネットなどのネットワークを介して行われる。
【００３３】
さらに、写真シール機１は携帯送信機能を有しており、携帯型端末装置２の利用者は、写真シール機１が提供する写真シール作成ゲームにおいて携帯送信機能を利用することができる。ここで、携帯送信機能とは、写真シール機１で生成された編集画像を携帯型端末装置２で閲覧することができるように、写真シール機１が管理サーバ３に編集画像を送信する機能である。
【００３４】
写真シール機１において生成された編集画像は、利用者により入力されたメールアドレスとともに管理サーバ３に送信され、管理サーバ３が有する記憶媒体に保存（記憶）される。そして、管理サーバ３が運営する携帯サイトへアクセスするためのURL（Uniform Resource Locator）を含む電子メールが管理サーバ３から携帯型端末装置２に送信される。
【００３５】
利用者は、携帯型端末装置２を操作して電子メールに含まれるURLにアクセスすることで、管理サーバ３に保存されている編集画像を携帯型端末装置２にダウンロードさせ、保存させることができる。これにより、利用者は、携帯型端末装置２に編集画像を表示させたり、編集画像を待受け画面に設定したりすることができる。
【００３６】
なお、写真シール機１から管理サーバ３に送信される利用者のメールアドレスは、利用者が写真シール機１を直接操作することで入力されてもよいし、携帯型端末装置２と写真シール機１との近接通信が利用されて取得されるようにしてもよい。
【００３７】
例えば、近接通信が利用される場合には、利用者は携帯型端末装置２を写真シール機１のリーダ／ライタにかざして、携帯型端末装置２の非接触型ＩＣと、リーダ／ライタとの近接通信により、メールアドレスを写真シール機１に送信させる。写真シール機１は、このようにして携帯型端末装置２から受信したメールアドレスを管理サーバ３に送信する。
【００３８】
［写真シール機の構成例］
次に、図１の写真シール機１の構成について説明する。図２は、写真シール機１の外観の構成例を示す斜視図である。
【００３９】
写真シール機１は、撮影や編集等の作業を利用者にゲームとして行わせ、編集画像を提供する代わりに利用者より代金を受け取るゲーム機である。写真シール機１はゲームセンタなどの店舗に設置される。利用者は１人であることもあるし、複数人であることもある。
【００４０】
写真シール機１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの撮影画像、すなわち編集画像が印刷されたシール紙を受け取って一連のゲームを終了させることになる。
【００４１】
図２に示すように、写真シール機１は、主に、撮影ユニット１１、編集部１２、および事後接客部１３から構成される。撮影ユニット１１と編集部１２が接した状態で設置され、編集部１２と事後接客部１３が接した状態で設置される。
【００４２】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００４３】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００４４】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００４５】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４６】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００４７】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００４８】
複数のカーテンを１枚のクロマキ用のカーテンとし、昇降式の背景カーテンとして用意してもよい。また、クロマキ用のカーテンを予め撮影空間の背面に張り付けるとともに、合成用の背景画像を複数種類用意し、編集処理において利用者が所望する背景画像をカーテンの部分に合成することができるようにしてもよい。
【００４９】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００５０】
図３に示すように、撮影空間の上方に形成される開口のうち、天井ストロボユニット２４を挟んで前方の部分は天井前方カーテン６１で覆われ、後方の部分は天井後方カーテン６２で覆われる。天井前方カーテン６１の少なくとも内側の色は黒色などの暗い色とされ、天井後方カーテン６２の少なくとも内側の色は白色などの明るい色とされる。
【００５１】
また、図３に示すように、撮影空間の出入り口Ｇ１には側面カーテン６３が取り付けられる。反対側の出入り口である出入り口Ｇ２にも図示せぬ側面カーテンが取り付けられる。撮影空間の出入り口Ｇ１およびＧ２に取り付けられる側面カーテンの少なくとも内側の色は黒色などの暗い色とされる。
【００５２】
図２の説明に戻り、編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００５３】
図２に示す編集部１２の構成を正面側の構成とすると、２組の利用者が同時に編集処理を行うことができるように、編集部１２の正面側と背面側には編集処理に用いられる構成がそれぞれ設けられる。
【００５４】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００５５】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５６】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００５７】
また図４は、写真シール機１を図２とは別の角度から見た斜視図である。
【００５８】
事後接客部１３は事後接客処理を利用者に行わせる装置である。事後接客処理には、撮影画像や編集済みの画像を送信する携帯送信の処理、ミニゲームを利用者に行わせる処理、アンケートに答えさせる処理などが含まれる。
【００５９】
図４に示すように、事後接客部１３は、所定の厚さを有する板状の筐体を有しており、その背面が編集部１２の左側面に接するように編集部１２に連結して設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００６０】
ここで、写真シール作成ゲームの流れと、それに伴う利用者の移動について図５を参照して説明する。図５は、写真シール機１を上から見た平面図である。
【００６１】
写真シール機１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００６２】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００６３】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００６４】
なお、以下、編集空間Ａ２−１および編集空間Ａ２−２を個々に区別する必要のない場合、単に編集空間Ａ２とも称する。
【００６５】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００６６】
上述した携帯送信の処理は、事後接客空間Ａ３にいる利用者を対象とした処理である。撮影画像や編集画像を管理サーバ３に送信する処理などが事後接客空間Ａ３にいる利用者による操作に応じて行われる。
【００６７】
画像の印刷が終了したとき、利用者は、事後接客部１３に設けられた排出口からシール紙を受け取り、一連の写真シール作成ゲームを終えることになる。
【００６８】
次に、写真シール機１を構成する各装置について説明する。
【００６９】
図６は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００７０】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。側面パネル４２Ａの上方には連結部２３Ａが固定され、側面パネル４２Ｂの上方には連結部２３Ｂが固定される。
【００７１】
正面パネル４１のほぼ中央には撮影・表示ユニット８１が設けられる。撮影・表示ユニット８１は、カメラ９１、正面ストロボ９２、およびタッチパネルモニタ９３から構成される。
【００７２】
カメラ９１は、CCD(Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００７３】
カメラ９１を囲むように発光面が設けられた正面ストロボ９２は、他のストロボと同様にカメラ９１による撮影に合わせて発光し、被写体としての利用者の顔付近を正面から照射する。
【００７４】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００７５】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００７６】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００７７】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。
【００７８】
足元ストロボ８６の右側には、利用者がお金を投入する硬貨投入返却口８７が設けられる。
【００７９】
下ストロボ８５を挟んでベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００８０】
このような構成を有する撮影部２１の各部のうち、正面パネル４１、側面パネル４２Ａ、側面パネル４２Ｂ、およびベース部４３の撮影空間Ａ１に面する部分の色と、連結部２３Ａ、連結部２３Ｂの内側の色は、図７に色を付して示すように黒色などの暗い色とされる。図３を参照して説明したように、撮影空間Ａ１の天井前方の開口に取り付けられる天井前方カーテン６１の内側の色と、出入り口Ｇ１およびＧ２に取り付けられるカーテンの内側の色が暗い色であることもあって、撮影空間Ａ１の前方の色は全体的に暗い色となる。
【００８１】
後述するように、背景部２２には撮影空間Ａ１にいる利用者を背面側から照射するストロボが設けられる。撮影空間Ａ１の前方の色を全体的に暗い色にすることによって、背景部２２に設けられるストロボからの光が撮影空間Ａ１内で反射し、利用者を照射してしまうことを防ぐことができ、意図した明るさで撮影を行うことが可能になる。
【００８２】
すなわち、背景部２２の両端に設けられたストロボからの光のうち、利用者にあたらない光の反射は出入り口Ｇ１およびＧ２に取り付けられた側面カーテンの内側で防ぐことができる。また、撮影部２１の正面に設けられた例えば下ストロボ８５からの光のうち、利用者にあたらない光の反射は天井前方カーテン６１の内側で防ぐことができる。撮影部２１の正面に設けられた左ストロボ８３および右ストロボ８４からの光のうち、利用者にあたらない光の反射は側面パネル４２Ａ、側面パネル４２Ｂの内側で防ぐことができる。
【００８３】
また、図３を参照して説明したように、撮影空間Ａ１の天井後方の開口に取り付けられる天井後方カーテン６２の内側の色は明るい色である。背景カーテンとして明るい色のカーテンを選択することによって、撮影空間Ａ１の後方の色は全体的に明るい色となる。
【００８４】
撮影空間Ａ１の後方の色を全体的に明るい色にすることによって、撮影部２１に設けられるストロボからの光を撮影空間Ａ１内で反射させ、利用者を後方から照射することが可能になる。利用者を後方から照射して撮影を行うことによって、逆光で撮影したときと同様に、利用者の輪郭が柔らかい雰囲気で写っている画像を撮影することが可能になる。
【００８５】
図８は、背景部２２の撮影空間Ａ１側の構成例を示す図である。
【００８６】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００８７】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００８８】
図９は、編集部１２の正面側（編集空間Ａ２−１側）の構成例を示す図である。
【００８９】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００９０】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。なお、以下、タッチペン１３２Ａおよびタッチペン１３２Ｂを個々に区別する必要のない場合、単にタッチペン１３２とも称する。
【００９１】
編集部１２の左側には事後接客部１３が設けられる。
【００９２】
図１０は、事後接客部１３の正面側の構成例を示す図である。
【００９３】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。タブレット内蔵モニタ１６１には、携帯送信によって送信する画像の選択画面やメールアドレスの入力などの、事後接客処理に用いられる画面が表示される。
【００９４】
なお、以下、タッチペン１６２Ａおよびタッチペン１６２Ｂを個々に区別する必要のない場合、単にタッチペン１６２とも称する。
【００９５】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００９６】
非接触型ＩＣリーダ／ライタ１６３は、近接された非接触型ＩＣと通信を行い、非接触型ＩＣからのデータの読み出しや非接触型ＩＣに対するデータの書き込みを行う。
【００９７】
例えば、携帯送信をする利用者が携帯型端末装置２をかざしたとき、非接触型ＩＣリーダ／ライタ１６３は、携帯型端末装置２の識別情報である携帯端末ＩＤなどの情報を携帯型端末装置２に内蔵されている非接触型ＩＣから読み出して取得する。非接触型ＩＣリーダ／ライタ１６３により読み出された携帯端末ＩＤは、必要に応じて例えば利用者により入力されたメールアドレスの情報などとともに管理サーバ３に送信される。
【００９８】
シール紙排出口１６４からは、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００９９】
スピーカ１６５は、事後接客処理の案内音声、BGM、効果音等の音を出力する。
【０１００】
次に、写真シール機１の内部構成について説明する。図１１は、写真シール機１の内部の構成例を示すブロック図である。なお、図１１において、図２乃至図１０における場合と対応する部分には同じ符号を付してあり、その説明は適宜省略する。
【０１０１】
制御部２０１はCPU(Central Processing Unit)などよりなり、ROM(Read Only Memory)２０６や記憶部２０２に記憶されているプログラムを実行し、写真シール機１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、事後接客部２１０、および印刷部２１１の各構成も接続される。
【０１０２】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【０１０３】
通信部２０３はインターネットなどのネットワークのインタフェースであり、制御部２０１による制御に従って、管理サーバ３などの外部の装置と通信を行う。
【０１０４】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【０１０５】
ROM２０６には、制御部２０１において実行されるプログラムやデータが記憶されている。RAM２０７は、制御部２０１が処理するデータやプログラムを一時的に記憶する。
【０１０６】
撮影部２０８は、撮影空間Ａ１における撮影処理を行う構成である硬貨処理部２２１、背景制御部２２２、照明制御部２２３、カメラ９１、タッチパネルモニタ９３、およびスピーカ２２４から構成される。
【０１０７】
硬貨処理部２２１は、硬貨投入返却口８７に対する硬貨の投入を検出する。硬貨処理部２２１は、３００円などの所定の金額分の硬貨が投入されたことを検出した場合、そのことを表す起動信号を制御部２０１に出力する。
【０１０８】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【０１０９】
照明制御部２２３は、制御部２０１より供給される照明制御信号に従って、撮影空間Ａ１内の各ストロボの発光を制御する。
【０１１０】
カメラ９１は、制御部２０１による制御に従って撮影を行い、撮影によって得られた画像を制御部２０１に出力する。
【０１１１】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。
【０１１２】
編集部２０９Ｂも編集部２０９Ａと同一の構成を有しており、編集空間Ａ２−２における編集処理を行う。なお、以下、編集部２０９Ａおよび編集部２０９Ｂを個々に区別する必要のない場合、単に編集部２０９とも称する。
【０１１３】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【０１１４】
事後接客部２１０は、事後接客空間Ａ３における事後接客処理を行う構成であるタブレット内蔵モニタ１６１、タッチペン１６２Ａ，１６２Ｂ、非接触型ＩＣリーダ／ライタ１６３、およびスピーカ１６５から構成される。
【０１１５】
印刷部２１１は、印刷処理を行う構成であるプリンタ２４１、およびシール紙ユニット２４２から構成される。プリンタ２４１は、撮影画像、または編集処理によって得られた編集済みの画像を、プリンタ２４１に装着されたシール紙ユニット２４２に収納されているシール紙に印刷し、シール紙排出口１６４に排出する。一点鎖線で囲んで示す事後接客部２１０と印刷部２１１が、事後接客空間Ａ３にいる利用者を相手とした処理を行う構成となる。
【０１１６】
［管理サーバの構成例］
また、図１の管理サーバ３は、より詳細には図１２に示すように構成される。
【０１１７】
管理サーバ３では、CPU５１１、ROM５１２、およびRAM５１３がバス５１４により相互に接続されている。
【０１１８】
バス５１４には、さらに、入出力インタフェース５１５が接続される。入出力インタフェース５１５には、キーボード、マウスなどよりなる入力部５１６、ディスプレイ、スピーカなどよりなる出力部５１７が接続される。また、入出力インタフェース５１５には、ハードディスクや不揮発性のメモリなどより構成され、各種の情報を記憶する記憶部５１８、ネットワークインタフェースなどより構成され、写真シール機１や携帯型端末装置２と通信を行う通信部５１９、リムーバブルメディア５２１を駆動するドライブ５２０が接続される。
【０１１９】
記憶部５１８には、写真シール機１から送信されてきた画像、画像の識別情報である画像ＩＤ、携帯型端末装置２のメールアドレスなどの情報が記憶され、管理される。
【０１２０】
また、図１３は、管理サーバ３の機能的構成例を示す図である。なお、図１３の管理サーバ３を構成する機能ブロックのうちの少なくとも一部は、CPU５１１が所定のプログラムを実行することで実現される。
【０１２１】
図１３では、管理サーバ３は、情報管理部５５１、サムネイル画像生成部５５２、メール生成部５５３、送信部５５４、および受信部５５５から構成される。情報管理部５５１は、写真シール機１から送信されてきた編集画像等の管理を行なう。また、サムネイル画像生成部５５２は、写真シール機１から受信した編集画像を縮小させてサムネイル画像を生成する。
【０１２２】
メール生成部５５３は、管理サーバ３が運営する携帯サイトへアクセスするためのURLのリンクを含む電子メールを生成する。送信部５５４は、通信部５１９などから構成され、インターネットなどのネットワークを介して、写真シール機１や携帯型端末装置２などの装置に各種の情報やデータを送信する。また、受信部５５５は、通信部５１９などから構成され、インターネットなどのネットワークを介して、写真シール機１や携帯型端末装置２などの装置から送信されてきた各種の情報やデータを受信する。
【０１２３】
［携帯型端末装置の構成例］
図１４は、図１の携帯型端末装置２の構成例を示すブロック図である。
【０１２４】
携帯型端末装置２は、制御部５８１、アンテナ５８２、通信部５８３、記憶部５８４、表示部５８５、非接触型ＩＣ５８６、および操作部５８７から構成される。
【０１２５】
制御部５８１は、CPU，ROM，RAMなどよりなり、所定のプログラムを実行し、携帯型端末装置２の全体の動作を制御する。例えば、制御部５８１は、通信部５８３を制御して管理サーバ３と通信を行い、非接触型ＩＣ５８６を制御して写真シール機１と通信を行う。
【０１２６】
通信部５８３は、基地局から送信された電波が受信されることに応じてアンテナ５８２から供給された信号の復調処理を行い、復調処理を行うことによって得られた情報を制御部５８１に出力する。また、通信部５８３は、制御部５８１から供給された情報に対して変調処理を施し、得られた信号をアンテナ５８２から送信する。
【０１２７】
記憶部５８４はフラッシュメモリなどからなり、携帯端末ＩＤや、メールアドレスなどの各種の情報やデータを記憶する。
【０１２８】
表示部５８５はLCDなどよりなり、各種の情報を表示する。例えば表示部５８５には、管理サーバ３が管理する携帯サイトのウェブページや編集画像などが表示される。
【０１２９】
非接触型ＩＣ５８６は、写真シール機１の非接触型ＩＣリーダ／ライタ１６３との通信可能範囲にあるとき、非接触型ＩＣリーダ／ライタ１６３と近接通信を行う。非接触型ＩＣ５８６は、記憶部５８４から読み出され、制御部５８１から供給された携帯端末ＩＤを非接触型ＩＣリーダ／ライタ１６３に送信する。
【０１３０】
操作部５８７は各種のボタンや表示部５８５に重ねて設けられたタッチパネルより構成され、利用者の操作の内容を表す信号を制御部５８１に出力する。
【０１３１】
また、図１５は、携帯型端末装置２の機能的構成例を示す図である。なお、図１５の携帯型端末装置２を構成する機能ブロックのうちの少なくとも一部は、制御部５８１が記憶部５８４に記憶されている所定のプログラムを実行することで実現される。
【０１３２】
図１５に示す携帯型端末装置２は、表示制御部６１１、画像取得部６１２、送信部６１３、および受信部６１４から構成される。
【０１３３】
表示制御部６１１は、利用者の操作等に応じて表示部５８５への画像やウェブページなどの表示を制御する。画像取得部６１２は、管理サーバ３が運営する携帯サイト（ウェブページ）へのアクセスを制御したり、管理サーバ３からの編集画像の取得を制御したりする。
【０１３４】
送信部６１３は、アンテナ５８２や通信部５８３などから構成され、インターネットなどのネットワークを介して管理サーバ３などの装置に各種の情報やデータを送信する。また、受信部６１４は、アンテナ５８２や通信部５８３などから構成され、インターネットなどのネットワークを介して、管理サーバ３などの装置から送信されてきた各種の情報やデータを受信する。
【０１３５】
［写真シール作成ゲーム処理の説明］
次に、図１の画像提供システムの動作について説明する。
【０１３６】
まず、図１６のフローチャートを参照して、写真シール機１により行なわれる写真シール作成ゲーム処理について説明する。
【０１３７】
ステップＳ１１において、写真シール機１の制御部２０１は、所定の金額分だけ硬貨が投入されたか否かを判定する。
【０１３８】
すなわち、写真シール作成ゲームを行なう利用者は、撮影空間Ａ１に入ると、硬貨投入返却口８７にゲームの代金として硬貨を投入する。すると、硬貨処理部２２１は利用者により投入された硬貨を検出し、検出された硬貨の投入額に応じて起動信号を制御部２０１に供給する。制御部２０１は、硬貨処理部２２１から起動信号が供給された場合、硬貨が投入されたと判定する。
【０１３９】
ステップＳ１１において、まだ硬貨が投入されていないと判定された場合、処理はステップＳ１１に戻り、硬貨が投入されたと判定されるまで、上述した処理が繰り返し行なわれる。
【０１４０】
これに対して、ステップＳ１１において硬貨が投入されたと判定された場合、ステップＳ１２において、制御部２０１は撮影部２０８を制御し、撮影処理を行なう。
【０１４１】
例えば、タッチパネルモニタ９３は撮影開始を利用者に知らせるカウントダウン等の画像を表示し、スピーカ２２４はこれから撮影を行なう旨の音声を出力する。また、タッチパネルモニタ９３は、カメラ９１により撮影された画像に、必要に応じて背景画像が合成されたライブビュー画像を表示する。利用者は、このようにして表示されたライブビュー画像を見ながらポーズをとり、撮影作業を行なう。
【０１４２】
そして、撮影するタイミングとなったとき、照明制御部２２３は、上ストロボ８２乃至下ストロボ８５等の各ストロボを制御して照明（フラッシュ）を被写体に照射させ、カメラ９１は、その瞬間に取り込まれている画像を撮影画像として制御部２０１に供給する。制御部２０１はカメラ９１から供給された撮影画像をRAM２０７に供給して一時的に記憶させる。
【０１４３】
ステップＳ１３において、制御部２０１は、撮影空間Ａ１にいる利用者に対して、編集空間Ａ２−１または編集空間Ａ２−２の何れかへの移動案内を行なう。例えば編集空間Ａ２への移動案内は、タッチパネルモニタ９３が案内画面を表示したり、スピーカ２２４が移動案内の音声を出力したりすることにより行なわれる。
【０１４４】
ステップＳ１４において、制御部２０１は利用者の操作に応じて編集対象とする撮影画像（以下、編集対象画像とも称する）を保存する。
【０１４５】
例えば、利用者が編集空間Ａ２に移動すると、制御部２０１は、利用者の移動先の編集空間Ａ２のタブレット内蔵モニタ１３１に、RAM２０７に保存されている撮影画像の一覧を表示させる。
【０１４６】
すると、利用者は、タッチペン１３２によりタブレット内蔵モニタ１３１に対する操作を行い、編集対象画像とする撮影画像を選択する。制御部２０１は、タブレット内蔵モニタ１３１からの入力信号に基づいて、利用者により選択された撮影画像を編集対象画像として選択し、編集対象画像を記憶部２０２に記憶させる。
【０１４７】
ステップＳ１５において、制御部２０１は編集部２０９を制御して編集処理を行なう。例えば、制御部２０１は編集対象画像として選択された撮影画像とともに、予め定められたスタンプなどの画像等をタブレット内蔵モニタ１３１に表示させ、利用者による編集（落書き）を受け付ける。
【０１４８】
すると利用者はタッチペン１３２を操作して、編集対象画像上の所望の位置に予め定められたスタンプなどの画像や、文字などの線画像の合成を指示する。制御部２０１は、利用者の操作に応じてタブレット内蔵モニタ１３１から供給される入力信号に応じて、編集対象画像に利用者により指示された画像（以下、合成用画像とも称する）を合成し、編集画像を生成する。また、制御部２０１は、得られた編集画像をタブレット内蔵モニタ１３１に表示させるとともに記憶部２０２に供給し、保存させる。
【０１４９】
また、撮影画像の編集が行なわれると、利用者はタッチペン１３２を用いて編集により得られた複数の編集画像のなかから、自分の携帯型端末装置２に送信する編集画像の選択を行なう。例えば、複数の編集画像のなかから、１つの編集画像が送信用の編集画像として選択され、利用者の選択に応じた入力信号がタブレット内蔵モニタ１３１から制御部２０１に供給される。なお、選択される編集画像は、１つに限らず２以上であってもよい。
【０１５０】
ステップＳ１６において、制御部２０１は、利用者による操作に応じて、携帯型端末装置２に送信する送信用の編集画像を選択する。
【０１５１】
また、制御部２０１は、利用者により選択された携帯型端末装置２への送信用の編集画像を特定する選択情報、各編集画像の撮影順序情報、および写真シール機１の機種とバージョンを示す機器ＩＤからなる情報を画像ＩＤとする。そして、制御部２０１は、画像ＩＤを記憶部２０２に供給し、編集画像と対応付けて保存させる。
【０１５２】
ステップＳ１７において、制御部２０１は印刷部２１１を制御し、印刷処理を行なう。すなわち、制御部２０１は、生成した編集画像をプリンタ２４１に供給して印刷を行なわせる。プリンタ２４１は制御部２０１から供給された編集画像を所定のレイアウトでシール紙に印刷する。
【０１５３】
ステップＳ１８において、制御部２０１は、タブレット内蔵モニタ１３１に移動案内を表示させたり、スピーカ２３１から移動案内の音声を出力させたりすることで、編集空間Ａ２にいる利用者に対して事後接客空間Ａ３への移動案内を行なう。利用者は、この移動案内に応じて事後接客空間Ａ３へと移動する。
【０１５４】
ステップＳ１９において、制御部２０１は事後接客部２１０を制御して、事後接客処理を行なう。例えば、事後接客部２１０は、事後接客空間Ａ３でシール紙の印刷の終了を待つ利用者に対して、ミニゲーム等のサービスを提供する。
【０１５５】
また、タブレット内蔵モニタ１６１は利用者により選択された編集画像の送信先として、携帯型端末装置２のメールアドレスの入力を促す画面を表示する。すると、利用者はタッチペン１６２Ａやタッチペン１６２Ｂを用いてタブレット内臓モニタ１６１に対する操作を行ない、メールアドレスを入力する。
【０１５６】
ステップＳ２０において、制御部２０１は、利用者のメールアドレスの入力操作に応じた入力信号をタブレット内蔵モニタ１６１から取得することで、利用者のメールアドレスを取得する。制御部２０１は取得したメールアドレスを記憶部２０２に供給し、編集画像や画像ＩＤと対応づけて保存させる。
【０１５７】
ステップＳ２１において、制御部２０１は通信部２０３を制御して、記憶部２０２に保存されている全ての編集画像、画像ＩＤ、およびメールアドレスを管理サーバ３に送信させる。
【０１５８】
なお、編集画像は、撮影により得られた撮影画像と、利用者による落書き（編集）で得られた合成用画像とを合成して得られる画像であるが、管理サーバ３には、編集画像が送信されてもよいし、撮影画像と合成用画像が送信されるようにしてもよい。
【０１５９】
また、編集画像のシール紙への印刷が終了すると、ステップＳ２２において、プリンタ２４１は、印刷したシール紙をシール紙排出口１６４から排出し、写真シール作成ゲーム処理は終了する。利用者は、シール紙排出口１６４から排出されたシール紙を受け取ると、事後接客空間Ａ３から退出する。
【０１６０】
このようにして、写真シール機１は利用者を撮影し、これにより得られた撮影画像に対して編集処理を施して編集画像を生成する。また、写真シール機１は、編集画像をシール紙に印刷し、利用者に提供するとともに、編集画像や画像ＩＤ、メールアドレス等を管理サーバ３に送信する。
【０１６１】
管理サーバ３に全ての編集画像を送信して保存させることで、この編集画像を利用者の携帯型端末装置２に提供することができるようになり、利用者の満足度を向上させることができる。
【０１６２】
［携帯サイトについて］
以上のようにして写真シール機１から編集画像が送信されると、送信された編集画像が管理サーバ３により受信され、保存される。携帯型端末装置２は、管理サーバ３が運営する携帯サイトにアクセスすることで、管理サーバ３に保存されている編集画像のうちのいくつか（例えば、１つ）をダウンロードすることができる。
【０１６３】
携帯型端末装置２が管理サーバ３により運営される携帯サイトにアクセスすると、携帯型端末装置２の表示部５８５には、例えば図１７の矢印Ｑ１１に示すウェブページが表示される。
【０１６４】
矢印Ｑ１１に示されるウェブページでは、中央に編集画像のサムネイル画像６４１−１が表示されており、このサムネイル画像６４１−１は、写真シール機１において利用者により送信用の編集画像として選択された編集画像のサムネイル画像である。送信用の編集画像は、管理サーバ３において編集画像に対応付けられて保存されている画像ＩＤに含まれる選択情報により特定される。
【０１６５】
また、矢印Ｑ１１に示すウェブページには、文字「撮った画像を全部ゲット」が表示されたボタンが設けられており、このボタンを操作することで予め携帯サイトに登録されている有料会員は、管理サーバ３に保存されている全ての編集画像を得ることができる。
【０１６６】
文字「撮った画像を全部ゲット」が表示されたボタンの図中、下側には、文字「１枚無料でゲット」が表示されたボタン６４２が設けられている。ボタン６４２を操作することで携帯サイトの無料会員は、管理サーバ３に保存されている編集画像のうちの予め定められた枚数（ここでは１枚）の編集画像を得ることができる。
【０１６７】
さらに表示部５８５には、携帯型端末装置２の操作機能のボタン６４３乃至ボタン６４５が設けられており、これらのボタンには、それぞれ文字「戻る」、「選択」、および「メニュー」が表示されている。
【０１６８】
例えば、ボタン６４３が操作されると、表示部５８５の表示が、現時点で表示されている画面の直前の画面に戻され、ボタン６４４が操作されると、表示部５８５上のカーソル等で選択されているボタンなどに対する選択決定がなされる。また、ボタン６４５が操作されると、表示部５８５には携帯型端末装置２のメニュー画面が表示される。
【０１６９】
これらのボタン６４３乃至ボタン６４５は、表示部５８５に表示されている画面に応じて、ボタン操作が受け付けられない状態で表示されたり、表示されなかったりする。また、携帯型端末装置２の設定によって、ボタン６４３乃至ボタン６４５を表示させないようにすることも可能である。
【０１７０】
また、矢印Ｑ１１に示すウェブページ上に設けられたボタン６４２は矢印Ｑ１２に示すウェブページへのリンクとなっており、このボタン６４２が操作されると、表示部５８５には矢印Ｑ１２に示すウェブページが表示される。
【０１７１】
矢印Ｑ１２に示すウェブページの中央には、サムネイル画像６４１−１が表示されており、このサムネイル画像６４１−１の図中、下側にはボタン６４６とボタン６４７が設けられている。
【０１７２】
ボタン６４６には文字「この画像を「拡大・確定」」が表示されており、ボタン６４６はサムネイル画像６４１−１を拡大表示し、サムネイル画像６４１−１に対応する編集画像をダウンロードするときに操作される。
【０１７３】
例えば、ボタン６４６が操作されると、矢印Ｑ１３に示すようにウェブページ上にサムネイル画像６４１−１に対応する編集画像６４８が表示され、編集画像６４８には文字「Sample」が重畳されている。換言すれば、ボタン６４６が操作されるとサムネイル画像６４１−１が拡大表示されることになる。
【０１７４】
ここで、拡大表示用の編集画像６４８は、管理サーバ３に保存されている編集画像に対して、文字「Sample」を重畳して得られる画像である。つまり、編集画像６４８は、編集画像を不正に携帯型端末装置２に保存されてしまうことを防止するために加工された編集画像であり、例えばサンプルである旨の文字が重畳されるなど、もとの編集画像よりも見映えが悪くなるような加工が施された画像である。また、もとの編集画像は、例えば携帯型端末装置２の表示部５８５の大きさとほぼ同じ大きさなど、表示部５８５の大きさに適合したサイズの画像である。
【０１７５】
なお、編集画像６４８が携帯型端末装置２に保存できない形式のデータや、そのまま保存すると画質が損なわれるような形式のデータとされ、携帯型端末装置２において、編集画像６４８がさらに大きく拡大表示可能なようにしてもよい。また、編集画像６４８に文字「確認中」などのウォーターマークが重畳表示され、携帯型端末装置２において編集画像６４８がさらに拡大表示可能なようにされてもよい。
【０１７６】
編集画像６４８が表示されると、利用者は、拡大表示された編集画像６４８の細部や見映えなどを確認し、例えばボタン６４４などを操作して、編集画像の携帯型端末装置２への保存を指示する。この操作により、サムネイル画像６４１−１に対応する、文字「Sample」が重畳されていない編集画像が携帯型端末装置２に保存される。すなわち、編集画像が管理サーバ３から取得されて、携帯型端末装置２の記憶部５８４に保存される。このように、小さく表示されているサムネイル画像６４１−１を保存前に拡大表示させることで、利用者は編集画像の見映えや発色などを充分に確認することができる。
【０１７７】
なお、矢印Ｑ１２に示した状態でボタン６４６が操作され、矢印Ｑ１３に示すように編集画像６４８が表示された後、そのまま編集画像が携帯型端末装置２に保存されるようにしてもよい。この場合、利用者はボタン６４６の操作後、特に他の操作を必要とせず、自動的に編集画像が保存されることになる。
【０１７８】
また、矢印Ｑ１３に示すように編集画像６４８が表示された状態から、ボタン６４３が操作された場合には、直前の画面に表示が戻るようにしてもよい。そのような場合、例えば、ボタン６４６が操作されて画面が矢印Ｑ１３に示す状態となっているときに、ボタン６４３が操作されると、表示部５８５の表示は、矢印Ｑ１２に示す状態に戻る。
【０１７９】
さらに、矢印Ｑ１２に示したウェブページに設けられたボタン６４７には、文字「違う画像に「変更」」が表示されており、ボタン６４７はダウンロードする編集画像を、サムネイル画像６４１−１に対応する編集画像とは異なるものに変更するときに操作される。
【０１８０】
例えば、ボタン６４７が操作されると、矢印Ｑ１４に示すように表示部５８５にはサムネイル画像の一覧が表示される。矢印Ｑ１４に示されるウェブページには、６つのサムネイル画像６４１−１乃至サムネイル画像６４１−６が表示されている。
【０１８１】
これらのサムネイル画像６４１−１乃至サムネイル画像６４１−６は、一度のゲームにより写真シール機１から管理サーバ３に送信された編集画像のサムネイル画像であり、撮影順など所定の順序で並べられて表示される。なお、以下、サムネイル画像６４１−１乃至サムネイル画像６４１−６のそれぞれを個々に区別する必要のない場合、単にサムネイル画像６４１とも称する。
【０１８２】
また、利用者が携帯型端末装置２を操作して、これらの一覧表示されたサムネイル画像６４１の何れかが選択されると、表示部５８５の表示は矢印Ｑ１３に示す画面に遷移する。すなわち、サムネイル画像６４１の一覧から選択されたサムネイル画像６４１に対応する編集画像６４８が拡大表示され、その編集画像６４８が携帯型端末装置２に保存される。
【０１８３】
［画像管理処理の説明］
次に、写真シール機１から送信されてきた編集画像等を保存するとともに、携帯型端末装置２からの要求に応じて図１７に示したウェブページを提供する管理サーバ３の処理について説明する。すなわち、管理サーバ３は、写真シール機１から編集画像等が送信されてくると、編集画像の管理を行なう画像管理処理を開始する。
【０１８４】
以下、図１８のフローチャートを参照して、管理サーバ３による画像管理処理について説明する。
【０１８５】
ステップＳ４１において、受信部５５５は、写真シール機１から送信されてきた編集画像、画像ＩＤ、およびメールアドレスを受信して情報管理部５５１に供給する。
【０１８６】
ステップＳ４２において、情報管理部５５１は、受信部５５５から供給された編集画像、画像ＩＤ、およびメールアドレスを記憶部５１８に供給し、これらの情報を互いに対応付けて保存させる。このとき、情報管理部５５１は各編集画像に保存先URLを割り当てて、記憶部５１８の保存先URLにより特定される領域に編集画像を保存させる。
【０１８７】
ステップＳ４３において、サムネイル画像生成部５５２は、記憶部５１８に保存された各編集画像について、編集画像を縮小させてサムネイル画像を生成する。そして、サムネイル画像生成部５５２は、生成したサムネイル画像を記憶部５１８に供給して、編集画像に対応付けて保存させる。
【０１８８】
ステップＳ４４において、メール生成部５５３は、編集画像に対応付けて記憶部５１８に保存されている携帯型端末装置２のメールアドレスを宛先として、管理サーバ３が運営する携帯サイトへアクセスするためのURLへのリンクを含む電子メールを生成する。
【０１８９】
例えば、電子メールに含まれるリンクは、図１７の矢印Ｑ１１に示したウェブページのURLへのリンクとされる。メール生成部５５３は、電子メールを生成すると、生成した電子メールを送信部５５４に供給する。
【０１９０】
ステップＳ４５において、送信部５５４はメール生成部５５３から供給された電子メールを、宛先である携帯型端末装置２に送信する。
【０１９１】
携帯型端末装置２により電子メールが受信されて、携帯サイトへのアクセスが行なわれると、ステップＳ４６において、送信部５５４は携帯型端末装置２の要求に応じて携帯サイトの各ウェブページを携帯型端末装置２に送信する。
【０１９２】
例えば、情報管理部５５１は、携帯型端末装置２が電子メールに含まれるURLにアクセスしてきた場合、画像ＩＤに含まれる選択情報により送信用の編集画像を特定する。そして、情報管理部５５１は、特定された編集画像のサムネイル画像に基づいて、図１７の矢印Ｑ１１に示されるサムネイル画像６４１が表示されるウェブページを生成し、送信部５５４に供給する。送信部５５４は、情報管理部５５１から供給されたウェブページ、より詳細にはウェブページの表示用のデータを携帯型端末装置２に送信する。
【０１９３】
また、携帯型端末装置２に図１７の矢印Ｑ１１に示すウェブページが表示されている状態で、利用者が携帯型端末装置２を操作し、ボタン６４２を操作すると、情報管理部５５１は、携帯型端末装置２の要求に応じて矢印Ｑ１２に示すウェブページを生成する。そしてこのウェブページが携帯型端末装置２に送信されて表示される。
【０１９４】
携帯型端末装置２に矢印Ｑ１２に示したウェブページが表示されると、利用者はサムネイル画像６４１−１に対応する編集画像をダウンロードするためのボタン６４６、またはダウンロードする編集画像を変更するためのボタン６４７の何れかを操作する。
【０１９５】
すると、携帯型端末装置２から管理サーバ３には、ボタン６４６またはボタン６４７の操作に応じて、編集画像の送信の要求、またはサムネイル画像の一覧画面の送信の要求が送信されてくる。
【０１９６】
ステップＳ４７において、情報管理部５５１は、送信用の編集画像を変更するか否かを判定する。例えば、ボタン６４７が操作され、携帯型端末装置２から送信された、サムネイル画像の一覧画面の送信の要求が受信部５５５により受信された場合、送信用の編集画像を変更すると判定される。また、例えばボタン６４６が操作され、携帯型端末装置２から送信された、編集画像の送信の要求が受信部５５５により受信された場合、送信用の編集画像を変更しないと判定される。
【０１９７】
ステップＳ４７において、送信用の編集画像を変更すると判定された場合、ステップＳ４８において、情報管理部５５１はサムネイル画像の一覧画面を生成し、送信部５５４に送信させる。
【０１９８】
例えば、情報管理部５５１は、編集画像と対応付けられている画像ＩＤとサムネイル画像を記憶部５１８から取得する。そして、情報管理部５５１は、画像ＩＤに含まれる撮影順序情報により示される順番（撮影された順番）でサムネイル画像が一覧表示されるウェブページを生成し、送信部５５４に供給する。
【０１９９】
これにより、例えば図１７の矢印Ｑ１４に示すウェブページが生成される。このとき、例えば最も撮影された順番が早い編集画像のサムネイル画像をサムネイル画像６４１−１として、サムネイル画像６４１−１からサムネイル画像６４１−６まで、撮影された順番が早い順に編集画像に対応するサムネイル画像が表示されるようにウェブページが生成される。すなわち、より利用者が送信用の編集画像として選択すると思われるもののサムネイル画像６４１ほど、より利用者の目につきやすい位置に表示される。送信部５５４は情報管理部５５１から供給されたウェブページを携帯型端末装置２に送信する。
【０２００】
携帯型端末装置２に図１７の矢印Ｑ１４に示すウェブページが表示されると、利用者はサムネイル画像６４１の一覧のなかから、送信用の編集画像とする編集画像に対応するサムネイル画像６４１を選択する。すると、携帯型端末装置２からは、選択されたサムネイル画像６４１（編集画像）を拡大表示するための画像データの送信要求が送信されるので、受信部５５５はこれを受信して情報管理部５５１に供給し、その後、処理はステップＳ４９に進む。
【０２０１】
これに対して、ステップＳ４７において、送信用の編集画像を変更しないと判定された場合、ステップＳ４８の処理は行なわれず、処理はステップＳ４９に進む。
【０２０２】
この場合、例えば図１７の矢印Ｑ１２に示したウェブページのボタン６４６が操作されるので、この操作に応じて携帯型端末装置２からは、送信用の編集画像として選択されている編集画像を拡大表示するための画像データの送信要求が送信される。すなわち、サムネイル画像６４１の拡大表示用の画像データの送信が要求される。
【０２０３】
ステップＳ４７において送信用の編集画像を変更しないと判定されたか、またはステップＳ４８においてサムネイル画像の一覧が送信され、送信用の編集画像が変更されると、ステップＳ４９において、送信部５５４はサムネイル画像（編集画像）の拡大表示用の画像データを送信する。
【０２０４】
すなわち、情報管理部５５１は利用者により選択された送信用の編集画像に対して所定の文字などを重畳し、サムネイル画像の拡大表示用の画像データを生成して送信部５５４に供給する。送信部５５４は情報管理部５５１から供給された画像データを携帯型端末装置２に送信する。
【０２０５】
これにより、携帯型端末装置２には図１７の矢印Ｑ１３に示す編集画像６４８が表示される。そして、利用者により編集画像の保存が指示されると、携帯型端末装置２は管理サーバ３に対して編集画像の送信を要求する。なお、矢印Ｑ１３に示すウェブページでは、例えば編集画像６４８には、その編集画像６４８を生成するもととなった編集画像の保存先URLへのリンクが対応付けられている。
【０２０６】
携帯型端末装置２により編集画像の送信が要求されると、ステップＳ５０において、送信部５５４は、携帯型端末装置２の要求に応じて編集画像を送信し、画像管理処理は終了する。
【０２０７】
すなわち、図１７の編集画像６４８に対応付けられた保存先URLへのアクセスが行なわれ、携帯型端末装置２から編集画像の送信が要求されると、受信部５５５は携帯型端末装置２からの要求を受信して情報管理部５５１に供給する。すると、情報管理部５５１は、要求された編集画像を記憶部５１８から読み出して、送信部５５４に供給する。
【０２０８】
送信部５５４は、情報管理部５５１から供給された編集画像を携帯型端末装置２に送信する。これにより、写真シール機１において生成された編集画像が携帯型端末装置２に送信されることになる。
【０２０９】
このようにして管理サーバ３は、写真シール機１から受信した編集画像等を保存するとともに、編集画像に対して保存先URLを割り当てて、携帯型端末装置２の要求に応じて保存先URLへのリンクを含むウェブページを携帯型端末装置２に送信する。これにより、携帯型端末装置２は、編集画像を得ることができる。
【０２１０】
なお、一度、携帯型端末装置２により編集画像がダウンロードされると、それ以降においては、無料会員の携帯型端末装置２では、同じゲームで生成された他の編集画像をダウンロードすることができないようになされる。つまり、携帯型端末装置２による編集画像の送信の要求が受け付けられないようになされる。
【０２１１】
［画像取得処理の説明］
また、図１８のステップＳ４４で管理サーバ３から電子メールが送信されると、携帯型端末装置２は、送信されてきた電子メールを受信してウェブページにアクセスし、編集画像をダウンロードする画像取得処理を行なう。以下、図１９のフローチャートを参照して、携帯型端末装置２による画像取得処理について説明する。
【０２１２】
ステップＳ８１において、受信部６１４は、図１８のステップＳ４４の処理により管理サーバ３から送信されてきた電子メールを受信して、表示制御部６１１に供給する。
【０２１３】
表示制御部６１１は、受信部６１４から供給された電子メールを表示部５８５に供給して表示させるとともに、必要に応じて電子メールを記憶部５８４に供給し、保存させる。
【０２１４】
すると、利用者は表示部５８５に表示された電子メールを見て確認するとともに、操作部５８７を操作して、電子メール上に表示されたURLへのリンクを指定して、URLへのアクセスを指示する。
【０２１５】
ステップＳ８２において、送信部６１３は操作部５８７に対する利用者の操作に応じて電子メールに含まれるURLにアクセスし、管理サーバ３に携帯サイトのウェブページの表示用のデータの送信を要求する。これにより、管理サーバ３では、図１８のステップＳ４６の処理が行なわれ、管理サーバ３から携帯型端末装置２にウェブページの表示用のデータが送信される。
【０２１６】
受信部６１４は、管理サーバ３から送信されてきたウェブページの表示用のデータを受信して表示制御部６１１に供給し、表示制御部６１１は受信部６１４からのデータを表示部５８５に供給して、表示部５８５に携帯サイトのウェブページを表示させる。これにより、例えば図１７の矢印Ｑ１１に示したウェブページが表示部５８５に表示される。また、この状態で利用者がボタン６４２を操作すると、携帯型端末装置２は管理サーバ３とデータの授受を行ない、矢印Ｑ１２に示すウェブページを表示部５８５に表示させる。
【０２１７】
矢印Ｑ１２に示すウェブページが表示されると、利用者は表示されているサムネイル画像６４１−１に対応する編集画像を保存させるか、または保存する編集画像を変更させるかの何れかの操作を行なう。すなわちボタン６４６とボタン６４７の何れかが操作される。
【０２１８】
ステップＳ８３において、画像取得部６１２は編集画像の変更が指示されたか否かを判定する。例えば、ボタン６４７が操作された場合、変更が指示されたと判定される。
【０２１９】
ステップＳ８３において、変更が指示されなかったと判定された場合、つまりボタン６４６が操作された場合、画像取得部６１２は、管理サーバ３にサムネイル画像６４１−１の拡大表示用の画像データの送信を要求し、処理はステップＳ８６に進む。具体的には、画像取得部６１２は送信部６１３を制御し、拡大表示用の画像データの送信要求を管理サーバ３に送信させる。
【０２２０】
これに対して、ステップＳ８３において編集画像の変更が指示されたと判定された場合、画像取得部６１２は送信部６１３を制御して、管理サーバ３に対してサムネイル画像の一覧画面の送信を要求し、処理はステップＳ８４に進む。この要求に応じて管理サーバ３からは、サムネイル画像の一覧が送信されてくるので、受信部６１４はサムネイル画像の一覧を受信し、表示制御部６１１に供給する。
【０２２１】
ステップＳ８４にいて、表示制御部６１１は、受信部６１４から供給されたサムネイル画像の一覧を表示部５８５に供給し、表示させる。これにより、例えば図１７の矢印Ｑ１４に示すウェブページが表示部５８５に表示される。
【０２２２】
すると、利用者は操作部５８７を操作してカーソル等を移動させたり、必要に応じてボタン６４４を操作したりして、表示されたサムネイル画像６４１のなかから、送信用の編集画像としようとするものに対応するサムネイル画像６４１を選択する。
【０２２３】
ステップＳ８５において、画像取得部６１２は、利用者の操作に応じて送信用の編集画像を選択する。例えばサムネイル画像６４１−２が利用者により選択された場合、サムネイル画像６４１−２に対応する編集画像を選択し、選択した編集画像、すなわちサムネイル画像６４１−２の拡大表示用の画像データの送信を管理サーバ３に対して要求する。新たな送信用の編集画像が選択されると、その後、処理はステップＳ８６に進む。
【０２２４】
ステップＳ８３において変更が指示されなかったと判定されたか、またはステップＳ８５において新たな編集画像が選択されると、ステップＳ８６において、表示制御部６１１は、表示部５８５にサムネイル画像を拡大表示させる。
【０２２５】
すなわち、サムネイル画像の拡大表示用の画像データの送信要求に応じて、管理サーバ３からはサムネイル画像の拡大表示用の画像データ、すなわち適宜加工された編集画像が送信されてくるので、受信部６１４は送信されてきたデータを受信し、表示制御部６１１に供給する。また、表示制御部６１１は受信部６１４から供給された拡大表示用の画像データを表示部５８５に供給して表示させる。これにより、例えば図１７の編集画像６４８が表示部５８５に表示される。
【０２２６】
なお、図１７の例では、編集画像６４８はウェブページの一部の領域に表示されているが、編集画像６４８が表示部５８５の全体に表示されるようにしてもよい。このように、編集画像６４８を全画面表示すれば、利用者はダウンロードした編集画像を実際に表示させたときや、編集画像を待受け画面に設定したときの様子を把握することができる。
【０２２７】
表示部５８５に編集画像６４８が表示され、利用者が操作部５８７を操作して編集画像の保存を指示すると、画像取得部６１２は利用者の操作に応じて送信部６１３を制御して、管理サーバ３に編集画像の送信要求を送信させる。すると、管理サーバ３では図１８のステップＳ５０の処理が行なわれ、管理サーバ３から携帯型端末装置２には編集画像が送信されてくるので、受信部６１４は送信されてきた編集画像を受信し、画像取得部６１２に供給する。
【０２２８】
ステップＳ８７において、画像取得部６１２は受信部６１４から供給された編集画像を記憶部５８４に供給して保存させ、画像取得処理は終了する。
【０２２９】
以上のようにして携帯型端末装置２は、必要に応じてサムネイル画像の一覧を表示させ、その一覧から選択したサムネイル画像に対応する編集画像を管理サーバ３から取得し、保存する。このように、写真シール機１で携帯型端末装置２に保存する編集画像を選択した後でも、サムネイル画像の一覧を表示させて、実際に保存する編集画像を変更できるようにすることで、利用者は自分自身が最終的に最もよいと思う編集画像を得ることができる。
【０２３０】
これにより、利用者の満足度を向上させることができる。しかも、携帯型端末装置２では、利用者が選択した編集画像が保存前に拡大表示されるので、利用者は保存しようとする編集画像の細部まで確認することができ、携帯型端末装置２に適したものを選択することができる。
【０２３１】
なお、図１７の矢印Ｑ１３に示したウェブページが表示されている状態で、利用者が例えばボタン６４３を操作したときには、直前に表示されていた画面に戻ることができるようにしてもよい。
【０２３２】
そのような場合、例えば矢印Ｑ１２に示すウェブページからボタン６４６が操作されて、矢印Ｑ１３に示すウェブページに画面が遷移したときには、ボタン６４３が操作されると、表示部５８５の表示は、矢印Ｑ１２に示したウェブページに戻ることになる。この場合、図１９のステップＳ８６の後、ボタン６４３が操作されると処理はステップＳ８３に戻る。
【０２３３】
これに対して、矢印Ｑ１４に示すウェブページからサムネイル画像６４１が選択されて、矢印Ｑ１３に示すウェブページに画面が遷移したときには、ボタン６４３が操作されると、表示部５８５の表示は、矢印Ｑ１４に示したウェブページに戻ることになる。この場合、図１９のステップＳ８６の後、ボタン６４３が操作されると処理はステップＳ８４に戻る。
【０２３４】
また、図１７の例では、矢印Ｑ１４に示すウェブページにおいて、サムネイル画像６４１が撮影順に並べられて表示されると説明したが、編集対象の画像として選択された順（以下、キープ順とも称する）や、編集順、編集時間順などでサムネイル画像６４１が表示されてもよい。例えば、サムネイル画像６４１がキープ順に並べられて表示される場合、写真シール機１の制御部２０１は、図１６のステップＳ１４において、編集対象画像として選択された順番を示す情報を生成し、その情報を含む画像ＩＤを生成する。
【０２３５】
また、編集順または編集時間順にサムネイル画像６４１が並べられて表示される場合、制御部２０１は、図１６のステップＳ１５において、編集対象画像が編集された順番または編集時間が長かった順番を示す情報を生成し、その情報を含む画像ＩＤを生成する。
【０２３６】
画像ＩＤに、選択順や編集順、編集時間順を示す情報が含まれる場合、管理サーバ３の情報管理部５５１は図１８のステップＳ４８において、それらの情報に従ってサムネイル画像６４１が並べられるように、サムネイル画像６４１の一覧を生成する。例えば、画像ＩＤに編集時間順を示す情報が含まれる場合、編集時間が長かった順にサムネイル画像６４１が並べられる。
【０２３７】
通常、利用者は、気に入った画像ほど長い時間をかけて編集したり、気に入った画像から選択，編集したりするので、編集対象の画像が選択された順番、編集された順番、および編集時間の長い順番は、利用者にとって気に入っている画像の順番となることが多い。そこで、それらの順番で対応するサムネイル画像６４１を並べて表示すれば、利用者がサムネイル画像６４１の一覧を見たときに、利用者のより気に入っている画像がより目につきやすくなる。これにより、利用者は、より簡単かつ迅速に所望の画像を選択することができる。
【０２３８】
また、写真シール機１において、編集前の撮影画像、または編集で得られた編集画像について、利用者が携帯型端末装置２へ送信したい順番を入力したり、自分の好みの度合いを示す評価（見映えの評価）を入力したりするようにしてもよい。
【０２３９】
そのような場合、写真シール機１の制御部２０１は、入力された送信したい順番や評価の順番を示す情報を含む画像ＩＤを生成する。管理サーバ３の情報管理部５５１は図１８のステップＳ４８において、それらの情報に従って、送信したい順番や評価の高い順番でサムネイル画像６４１が並べられるように、サムネイル画像６４１の一覧を生成する。
【０２４０】
〈第２の実施の形態〉
［携帯サイトの表示例］
また、以上においては図１７に示すように、選択された編集画像のサムネイル画像６４１−１のみが表示された状態で、選択された編集画像を保存するか、または変更するかを操作できる例について説明したが、サムネイル画像の一覧が表示された状態で、編集画像の保存または変更を操作できるようにしてもよい。
【０２４１】
そのような場合、図１７の矢印Ｑ１１に示すウェブページが表示されている状態でボタン６４２が操作されると、携帯型端末装置２の表示部５８５には、図２０に示すウェブページが表示される。なお、図２０において、図１７における場合と対応する部分には同一の符号を付してあり、その説明は適宜省略する。
【０２４２】
図２０に示すウェブページでは、サムネイル画像６４１−１乃至サムネイル画像６４１−６が撮影順に並べられて表示されている。この例では、画像ＩＤに含まれる選択情報により特定される編集画像のサムネイル画像６４１−１には、文字「選択画像」が表示されている。また、サムネイル画像６４１−２乃至サムネイル画像６４１−６は、例えばグレースケールなど、サムネイル画像６４１−１とは異なる表示形式で表示されている。
【０２４３】
これらの文字「選択画像」の表示等による異なる表示形式での表示によって、写真シール機１において利用者により選択されたものが、どの画像であるかを利用者が容易に把握できるようになされている。
【０２４４】
また、サムネイル画像６４１の一覧の図中、下側には、携帯型端末装置２に保存する編集画像を決定するときに操作されるボタン６４６と、保存する編集画像を変更するときに操作されるボタン６４７とが設けられている。
【０２４５】
例えば、ボタン６４６が操作されると、携帯型端末装置２には図１７の矢印Ｑ１３に示したウェブページが表示され、選択されているサムネイル画像６４１−１（編集画像）が拡大表示され、サムネイル画像６４１−１に対応する編集画像が保存される。
【０２４６】
これに対して図２０に示す表示状態でボタン６４７が操作された場合には、必要に応じてカーソル等が表示され、利用者は操作部５８７などを操作してカーソルを移動させ、好みのサムネイル画像６４１を選択する。この場合、サムネイル画像６４１が選択されると、図１７の矢印Ｑ１３に示したウェブページが表示され、選択されているサムネイル画像６４１が拡大表示される。
【０２４７】
なお、図２０の例においても、サムネイル画像６４１が表示される順番は、撮影順に限らず、キープ順や編集順、編集時間順などとされてもよい。
【０２４８】
［画像管理処理の説明］
次に、図２０に示すサムネイル画像の一覧が表示される場合における管理サーバ３と携帯型端末装置２の処理について説明する。
【０２４９】
まず、図２１のフローチャートを参照して、管理サーバ３により行なわれる画像管理処理について説明する。なお、ステップＳ１１１乃至ステップＳ１１６の処理は、図１８のステップＳ４１乃至ステップＳ４６の処理と同様であるので、その説明は省略する。
【０２５０】
ステップＳ１１６の処理が行なわれると、携帯型端末装置２には、図１７の矢印Ｑ１１に示すウェブページが表示される。この状態で利用者がボタン６４２を操作すると、携帯型端末装置２から管理サーバ３には、サムネイル画像の一覧画面の送信の要求が送信されてくるので、受信部５５５は送信されてきた一覧画面の送信の要求を受信して情報管理部５５１に供給する。
【０２５１】
ステップＳ１１７において、情報管理部５５１は、受信部５５５からサムネイル画像の一覧画面の送信の要求が供給されると、その要求に応じてサムネイル画像の一覧を生成して送信部５５４に供給し、送信させる。携帯型端末装置２に、このサムネイル画像の一覧が受信されると、携帯型端末装置２には図２０に示したウェブページが表示される。
【０２５２】
すると、利用者はボタン６４６を操作して、選択されているサムネイル画像６４１の拡大表示を指示するか、またはボタン６４７を操作して異なるサムネイル画像６４１を選択して、選択したサムネイル画像６４１の拡大表示を指示する。
【０２５３】
利用者の操作に応じて選択されたサムネイル画像６４１の拡大表示が指示されると、その後、ステップＳ１１８およびステップＳ１１９の処理が行なわれて画像管理処理は終了する。なお、これらの処理は図１８のステップＳ４９およびステップＳ５０の処理と同様であるので、その説明は省略する。
【０２５４】
以上のようにして管理サーバ３は、携帯サイトにアクセスがあるとサムネイル画像の一覧を生成して携帯型端末装置２に送信し、携帯型端末装置２の要求に応じて保存している編集画像を送信する。
【０２５５】
［画像取得処理の説明］
次に、図２２のフローチャートを参照して、図２０に示したサムネイル画像の一覧が表示される場合に携帯型端末装置２により行なわれる、画像取得処理について説明する。
【０２５６】
なお、ステップＳ１４１およびステップＳ１４２の処理は、図１９のステップＳ８１およびステップＳ８２の処理と同様であるので、その説明は省略する。
【０２５７】
ステップＳ１４２の処理が行なわれて図１７の矢印Ｑ１１に示すウェブページが表示され、利用者によりボタン６４２が操作されると、表示制御部６１１は送信部６１３を制御して、管理サーバ３にサムネイル画像の一覧の送信を要求する。すると、管理サーバ３からは、携帯型端末装置２の要求に応じてサムネイル画像の一覧が送信されてくるので、受信部６１４はサムネイル画像の一覧を受信し、表示制御部６１１に供給する。
【０２５８】
ステップＳ１４３において、表示制御部６１１は、受信部６１４から供給されたサムネイル画像の一覧を表示部５８５に供給し、表示させる。これにより、例えば図２０に示すウェブページが表示部５８５に表示される。利用者は、図２０に示すウェブページが表示されると、上述したようにボタン６４６またはボタン６４７の何れかを操作する。
【０２５９】
ステップＳ１４４において、画像取得部６１２は編集画像の変更が指示されたか否かを判定する。例えば、ボタン６４７が操作された場合、変更が指示されたと判定される。
【０２６０】
ステップＳ１４４において、編集画像の変更が指示されなかったと判定された場合、つまりボタン６４６が操作された場合、画像取得部６１２は送信部６１３を制御して、管理サーバ３にサムネイル画像６４１−１の拡大表示用の画像データの送信を要求し、処理はステップＳ１４６に進む。
【０２６１】
これに対して、ステップＳ１４４において、編集画像を変更すると判定された場合、利用者はサムネイル画像６４１を選択するので、ステップＳ１４５において画像取得部６１２は利用者の操作に応じて送信用の編集画像を選択する。すなわち、利用者により選択されたサムネイル画像６４１に対応する編集画像が、送信用の編集画像として選択される。
【０２６２】
画像取得部６１２は、送信部６１３を制御して、管理サーバ３に選択されたサムネイル画像６４１の拡大表示用の画像データの送信を要求し、処理はステップＳ１４６に進む。
【０２６３】
ステップＳ１４４において編集画像の変更が指示されなかったと判定されたか、またはステップＳ１４５において送信用の編集画像が選択し直されると、その後、ステップＳ１４６およびステップＳ１４７の処理が行なわれて画像取得処理は終了する。なお、これらの処理は図１９のステップＳ８６およびステップＳ８７の処理と同様であるので、その説明は省略する。
【０２６４】
以上のようにして携帯型端末装置２は、サムネイル画像の一覧を表示させ、その一覧から選択したサムネイル画像に対応する編集画像を管理サーバ３から取得し、保存する。このように、写真シール機１で携帯型端末装置２に保存する編集画像を選択した後でも、サムネイル画像の一覧を表示させて、実際に保存する編集画像を変更できるようにすることで、利用者の満足度を向上させることができる。
【０２６５】
なお、図２０に示した例では、画像を拡大表示させたり、選択された画像を変更したりするためにボタン６４６やボタン６４７が設けられているが、これらのボタンが設けられないようにしてもよい。そのような場合、例えばカーソルによる選択や、タッチパネル機能を利用したサムネイル画像６４１への接触による選択操作によって、サムネイル画像６４１が選択され、選択されたサムネイル画像６４１が拡大表示される。
【０２６６】
〈第３の実施の形態〉
［画像取得処理の説明］
さらに、以上においては写真シール機１において、利用者が送信用の編集画像を選択しておき、さらに携帯型端末装置２において、選択した送信用の編集画像を変更できる場合について説明したが、送信用の編集画像が携帯型端末装置２で選択されるようにしてもよい。そのような場合、写真シール機１により行なわれる写真シール作成ゲーム処理では、図１６のステップＳ１６の処理は行われない。したがって、管理サーバ３で編集画像と対応付けられて保存される画像ＩＤには、選択情報は含まれない。
【０２６７】
また、編集画像が管理サーバ３に送信されると、管理サーバ３では図２１の画像管理処理が行なわれ、編集画像の保存や編集画像の携帯型端末装置２への送信が行なわれる。これに対応して、携帯型端末装置２では、例えば図２３に示す画像取得処理が行なわれる。以下、図２３のフローチャートを参照して、携帯型端末装置２により行なわれる画像取得処理について説明する。
【０２６８】
なお、ステップＳ１７１乃至ステップＳ１７３の処理は図２２のステップＳ１４１乃至ステップＳ１４３の処理と同様であるので、その説明は省略する。但し、ステップＳ１７３の処理が行なわれて表示部５８５に表示されるサムネイル画像の一覧では、図２０に示した一覧とほぼ同じ一覧が表示されるが、ステップＳ１７３では、サムネイル画像６４１には文字の重畳は行なわれず、各サムネイル画像６４１は同じ表示形式で表示される。
【０２６９】
利用者が表示されたサムネイル画像の一覧から、送信用の編集画像に対応するサムネイル画像を選択すると、その後、ステップＳ１７４乃至ステップＳ１７６の処理が行なわれて画像取得処理は終了する。なお、これらの処理は図２２のステップＳ１４５乃至ステップＳ１４７の処理と同様であるので、その説明は省略する。
【０２７０】
このようにして携帯型端末装置２は、サムネイル画像の一覧を受信して表示し、その一覧のなかから選択されたサムネイル画像の編集画像を、送信用の編集画像として、編集画像を管理サーバ３から取得する。この場合、利用者は、写真シール機１において送信用の編集画像を選択する必要がないので、写真シール機１での写真シール作成ゲームを迅速に進行させることができるとともに、携帯型端末装置２において、自分の好みの編集画像をゆっくりと選択することができる。これにより、利用者は自分の好みや携帯型端末装置２の特性に合わせて、より適切に編集画像を選択することができる。
【０２７１】
また、図２３のフローチャートを参照して説明した画像取得処理においても、携帯型端末装置２で一覧表示されるサムネイル画像の表示順は、撮影順に限らず、どのような順番であってもよい。すなわち、例えばキープ順、編集順、編集時間順、利用者により入力された携帯型端末装置２へ送信したい順、見映えの評価の高い順などとされてもよい。特に、利用者が送信したい順や見映えの評価を入力するときには、利用者は、送信用の編集画像を選ぶという意識よりも、画像の見映え等を評価するという自然な意識で画像の選択や評価を行なうことができる。
【０２７２】
〈第４の実施の形態〉
［シールＩＤについて］
ところで、写真シール機で利用者が写真シール作成ゲームを行なう場合に、携帯型端末装置への送信用の編集画像の選択は行なったが、メールアドレスが正しく入力されないことなどがある。そうすると、利用者の携帯型端末装置は、管理サーバからの電子メールを受信することができないので、利用者は、管理サーバに保存された編集画像をダウンロードすることができなくなってしまう。
【０２７３】
そこで、写真シール機においては、１ゲームにつき１つまたは２つのシールＩＤが発行され、このシールＩＤを利用することで携帯サイトから編集画像をダウンロードすることができるようになされている。
【０２７４】
具体的には、管理サーバには編集画像とシールＩＤとが対応付けられて保存されている。利用者は携帯型端末装置から管理サーバの携帯サイトにアクセスし、そのウェブページにシールＩＤを入力することで、シールＩＤに対応付けられて保存されている編集画像を得ることができる。
【０２７５】
ところが複数の利用者が一緒に写真シール作成ゲームを行なった場合、各利用者に対してそれぞれシールＩＤが発行されても、利用者はどのシールＩＤが自分に発行されたものであるかを特定することができなかった。
【０２７６】
したがって、例えば各利用者が送信用の編集画像として異なる編集画像を選択し、選択したそれらの編集画像に各シールＩＤが対応付けられている場合、利用者は、自分のシールＩＤがどれであるかが分からないと、自分で選択した編集画像を得ることができなくなる。そうすると各利用者は、自分が選択した編集画像を得るには、電子メールなどを利用して、お互いにダウンロードした編集画像を交換しなければならず、満足度が低下してしまうおそれがあった。
【０２７７】
また、一緒にゲームを行なう利用者の人数がシールＩＤの発行数よりも多いと、全ての利用者がシールＩＤの発行を受けることができなくなってしまうこともある。
【０２７８】
そこで、写真シール機１は、入力されたメールアドレスと、選択された編集画像を得るためのシールＩＤとを対応付けてシール紙に印刷する。例えば利用者ごとにシール紙が提供される場合には、図２４に示す写真シールが得られる。
【０２７９】
なお、図２４では、シール紙内の各四角形は、１つの編集画像の領域を表している。シール紙の図中、下側には利用者により入力されたメールアドレス６７１と、メールアドレス６７１を入力した利用者に対して発行されたシールＩＤ６７２とが印刷されている。このように、シール紙ごとに１つのメールアドレスとシールＩＤを１セット乃至複数セットで印刷することで、各利用者に対して、利用者自身が選択した編集画像を提供することができ、利用者の満足度を向上させることができる。
【０２８０】
なお、シール紙に印刷されるメールアドレスは、シール紙紛失時に個人情報漏洩を防止するため、一部のみが印刷されるようにしてもよい。また、利用者ごとにシール紙が提供されず、複数の利用者に対して１つのシール紙が提供される場合には、シール紙において、各メールアドレスとシールＩＤのセットが区別できるように、異なる位置に印刷される。
【０２８１】
［写真シール作成ゲーム処理の説明］
次に、図２５のフローチャートを参照して、シールＩＤが発行される場合に写真シール機１により行なわれる写真シール作成ゲーム処理について説明する。
【０２８２】
なお、ステップＳ２０１乃至ステップＳ２０５の処理は図１６のステップＳ１１乃至ステップＳ１５の処理と同様であるので、その説明は省略する。
【０２８３】
ステップＳ２０６において、制御部２０１は、タブレット内蔵モニタ１３１に移動案内を表示させたり、スピーカ２３１から移動案内の音声を出力させたりすることで、編集空間Ａ２にいる利用者に対して事後接客空間Ａ３への移動案内を行なう。
【０２８４】
そして、ステップＳ２０７において、制御部２０１は事後接客部２１０を制御して、事後接客処理を行なう。
【０２８５】
また、制御部２０１は、タブレット内蔵モニタ１６１に、編集により得られた編集画像を一覧表示させるとともに、利用者に送信用の編集画像を選択するように促すメッセージを表示させる。これに応じて、各利用者は、タッチペン１６２を利用して、送信用の編集画像を選択する。
【０２８６】
ステップＳ２０８において、制御部２０１は、利用者による操作に応じて、携帯型端末装置２に送信する送信用の編集画像を選択する。
【０２８７】
また、制御部２０１は、利用者により選択された携帯型端末装置２への送信用の編集画像を特定する選択情報、各編集画像の撮影順序情報、および写真シール機１の機種とバージョンを示す機器ＩＤからなる情報を画像ＩＤとする。そして、制御部２０１は、利用者ごと、つまりタッチペン１６２ごとにシールＩＤを発行し、シールＩＤと画像ＩＤを記憶部２０２に供給し、編集画像と対応付けて保存させる。
【０２８８】
さらに、タブレット内蔵モニタ１６１は利用者により選択された編集画像の送信先として、携帯型端末装置２のメールアドレスの入力を促す画面を表示する。すると、利用者はタッチペン１６２を用いてタブレット内臓モニタ１６１に対する操作を行ない、メールアドレスを入力する。
【０２８９】
ステップＳ２０９において、制御部２０１は、利用者のメールアドレスの入力操作に応じた入力信号をタブレット内蔵モニタ１６１から取得することで、利用者のメールアドレスを取得する。制御部２０１は取得したメールアドレスを記憶部２０２に供給し、編集画像や画像ＩＤ、シールＩＤと対応づけて保存させる。このとき、タッチペン１６２Ａ，タッチペン１６２Ｂについて、タッチペン１６２により入力されたメールアドレス、そのタッチペン１６２に対して発行されたシールＩＤ、およびそのタッチペン１６２で選択された編集画像を示す選択情報が特定できるように保存される。
【０２９０】
ステップＳ２１０において、制御部２０１は通信部２０３を制御して、記憶部２０２に保存されている編集画像、画像ＩＤ、シールＩＤ、およびメールアドレスを管理サーバ３に送信させる。
【０２９１】
ステップＳ２１１において、制御部２０１は印刷部２１１を制御し、印刷処理を行なう。すなわち、制御部２０１は、編集画像をプリンタ２４１に供給して印刷を行なわせるとともに、利用者のメールアドレスとシールＩＤもシール紙に印刷させる。
【０２９２】
ステップＳ２１２において、プリンタ２４１は、印刷したシール紙をシール紙排出口１６４から排出し、写真シール作成ゲーム処理は終了する。
【０２９３】
このようにして、写真シール機１は利用者を撮影し、これにより得られた撮影画像に対して編集処理を施して編集画像を生成する。また、写真シール機１は、編集画像とともにメールアドレスとシールＩＤをシール紙に印刷して利用者に提供し、編集画像や画像ＩＤ、シールＩＤ、メールアドレス等を管理サーバ３に送信する。
【０２９４】
このようにシール紙にメールアドレスとシールＩＤのセットを区別できるように印刷することで、利用者にどのシールＩＤが自分に発行されたものであるかを把握させることができ、その結果、利用者の満足度を向上させることができる。
【０２９５】
［画像取得処理の説明］
このようにしてシール紙にメールアドレスとシールＩＤが印刷されると、利用者は、携帯型端末装置２に送信されてくる電子メールを利用する場合だけでなく、シールＩＤを利用しても編集画像を得ることができる。
【０２９６】
そのような場合、利用者は携帯型端末装置２を操作して、携帯サイトにアクセスし、シールＩＤを入力して編集画像をダウンロードする。以下、図２６のフローチャートを参照して、シールＩＤにより編集画像を取得するときに携帯型端末装置２により行なわれる処理である画像取得処理について説明する。
【０２９７】
ステップＳ２３１において、画像取得部６１２は管理サーバ３が運営する携帯サイトにアクセスする。すなわち、利用者が操作部５８７を操作して携帯サイトへのアクセスを指示すると、画像取得部６１２は利用者の操作に応じて送信部６１３および受信部６１４を制御して携帯サイトにアクセスし、管理サーバ３から携帯サイトのウェブページを取得する。
【０２９８】
画像取得部６１２は管理サーバ３から取得したウェブページを表示制御部６１１に供給し、表示制御部６１１は画像取得部６１２からのウェブページを表示部５８５に供給して表示させる。利用者は、必要に応じて操作部５８７を操作し、表示部５８５にシールＩＤを入力するためのページを表示させ、シール紙に印刷されているシールＩＤを入力する。
【０２９９】
利用者によりウェブページのシールＩＤ入力欄にシールＩＤが入力されると、ステップＳ２３２において、画像取得部６１２は入力されたシールＩＤを操作部５８７から取得して、送信部６１３に供給する。
【０３００】
ステップＳ２３３において、送信部６１３は画像取得部６１２から供給されたシールＩＤを管理サーバ３に送信する。すると、管理サーバ３は携帯型端末装置２から受信したシールＩＤにより特定される編集画像を検索し、その結果得られた編集画像のサムネイル画像が表示されるウェブページを携帯型端末装置２に送信する。受信部６１４は管理サーバ３から送信されてきたウェブページを受信すると、表示制御部６１１に供給する。
【０３０１】
ステップＳ２３４において、表示制御部６１１は受信部６１４から供給された、サムネイル画像が表示されているウェブページを表示部５８５に供給して表示させる。これにより、例えば図１７の矢印Ｑ１２に示すウェブページが表示される。このときウェブページ上に表示されるサムネイル画像６４１−１は、入力したシールＩＤが発行されたゲームにおいて、利用者が送信用の編集画像として選択した画像のサムネイル画像である。
【０３０２】
ウェブページ上にサムネイル画像が表示されると、その後、ステップＳ２３５乃至ステップＳ２３９の処理が行なわれて画像取得処理は終了するが、これらの処理は図１９のステップＳ８３乃至ステップＳ８７の処理と同様であるので、その説明は省略する。
【０３０３】
このようにして携帯型端末装置２は、利用者により入力されたシールＩＤに基づいて、管理サーバ３から送信用の編集画像を取得する。このように、シールＩＤを利用することで、利用者は写真シール機１でメールアドレスを正しく入力できなかったなど、管理サーバ３から編集画像を得るための電子メールを受信できない場合でも、編集画像を得ることができる。
【０３０４】
なお、図２６の画像取得処理においては、写真シール機１で選択した送信用の編集画像を変更することができると説明したが、編集画像の変更ができないようにしてもよい。
【０３０５】
［画像提供処理の説明］
次に、図２７のフローチャートを参照して、利用者がシールＩＤを利用して送信用の編集画像を得るときに管理サーバ３により行なわれる画像提供処理について説明する。この画像提供処理は、携帯型端末装置２から携帯サイトへのアクセス要求が送信されてくると開始される。
【０３０６】
ステップＳ２６１において、送信部５５４は携帯サイトのウェブページを携帯型端末装置２に送信する。
【０３０７】
具体的には、受信部５５５は携帯型端末装置２から送信されてきたアクセス要求を受信すると、受信したアクセス要求を情報管理部５５１に供給し、情報管理部５５１は供給されたアクセス要求に応じて、携帯サイトのウェブページを送信部５５４に供給する。すると、送信部５５４は情報管理部５５１から供給されたウェブページを携帯型端末装置２に送信する。
【０３０８】
携帯型端末装置２においてウェブページが表示され、シールＩＤの入力が行なわれると、携帯型端末装置２から管理サーバ３にはシールＩＤが送信されてくる。
【０３０９】
ステップＳ２６２において、受信部５５５は携帯型端末装置２から送信されてきたシールＩＤを受信して情報管理部５５１に供給する。
【０３１０】
ステップＳ２６３において、情報管理部５５１は受信部５５５から供給されたシールＩＤに基づいて、記憶部５１８に保存されている編集画像のうち、シールＩＤが対応付けられている画像ＩＤ内の選択情報により示される編集画像を特定する。特定された編集画像は、シールＩＤを入力した利用者が、写真シール機１で送信用の編集画像として選択した画像である。
【０３１１】
情報管理部５５１は、編集画像が特定されると、特定された編集画像のサムネイル画像を含むウェブページを送信部５５４に供給する。そして、ステップＳ２６４において、送信部５５４は情報管理部５５１から供給されたウェブページを携帯型端末装置２に送信する。これにより、例えば図１７の矢印Ｑ１２に示すウェブページが送信される。
【０３１２】
ウェブページが送信されると、その後、ステップＳ２６５乃至ステップＳ２６８の処理が行なわれて画像提供処理は終了するが、これらの処理は図１８のステップＳ４７乃至ステップＳ５０の処理と同様であるので、その説明は省略する。
【０３１３】
このようにして管理サーバ３は、シールＩＤが送信されてくると、そのシールＩＤと対応付けられた選択情報により示される編集画像を特定し、特定された編集画像、または適宜利用者により選択された編集画像を送信用の編集画像として携帯型端末装置２に送信する。このように、シールＩＤを利用することで、より確実に利用者に編集画像を提供することができるようになり、利用者の満足度を向上させることができる。
【０３１４】
なお、写真シール機１では、１ゲームを行なう利用者数が、発行されるシールＩＤの数よりも多いと、利用者のうちの何人かは編集画像をダウンロードできなくなってしまう。そのような場合、シールＩＤの発行を受けた利用者は、例えば電子メールに自分がダウンロードした編集画像を添付して他の利用者に送信するなどして、他の利用者に編集画像を転送することがある。しかし、このような電子メールを利用した編集画像の転送は面倒である。
【０３１５】
そこで、携帯サイトのウェブページにシールＩＤの入力欄だけでなく、他の利用者の電子メールのアドレスの入力欄も設け、他の利用者も簡単に編集画像を得ることができるようにしてもよい。そのような場合、管理サーバ３は図２７の画像提供処理を行なって利用者に編集画像を提供し、メール生成部５５３は、入力されたメールアドレスを宛先とし、携帯サイトのURLやシールＩＤを含む電子メールを生成して、他の利用者の携帯型端末装置に送信する。
【０３１６】
すると、この電子メールを受信した携帯型端末装置では、携帯サイトにアクセスし、受信した電子メールに含まれるシールＩＤを利用して、管理サーバ３から簡単に編集画像をダウンロードすることができる。
【０３１７】
〈第５の実施の形態〉
［送信用の編集画像の選択について］
なお、上述した第３の実施の形態では、携帯型端末装置２でサムネイル画像の一覧を表示し、利用者が所望のサムネイル画像を選択することで、送信用の編集画像を選択する例について説明した。この例では、写真シール機１での１ゲームにつき、無料会員である１人の利用者に１つの送信用の編集画像が提供されるが、無料会員の複数利用者（例えば２人）に対して１つの編集画像が提供されるようにしてもよい。
【０３１８】
そのような場合、写真シール機１から管理サーバ３には、複数の利用者のメールアドレスが編集画像等とともに送信され、管理サーバ３では、複数の利用者の携帯型端末装置２に対して、携帯サイトのURLを含む電子メールが送信される。この電子メールを受信した携帯型端末装置２は、利用者の操作に応じて携帯サイトにアクセスし、所望の編集画像を選択してダウンロードする。
【０３１９】
但し、この場合、複数の利用者は１つの同じ編集画像しかダウンロードすることはできないので、複数の利用者が同時に管理サーバ３にアクセスし、送信用の編集画像の選択を行なった場合には、何れか１人の利用者の選択だけが受け付けられる。
【０３２０】
具体的には、例えば２人の利用者Ａと利用者Ｂが図２８の矢印Ｑ２１および矢印Ｑ２２に示すように携帯サイトにアクセスし、サムネイル画像の一覧を表示させたとする。なお、図２８において、図２０における場合と対応する部分には同一の符号を付してあり、その説明は省略する。
【０３２１】
例えば、利用者Ａの携帯型端末装置２に矢印Ｑ２１に示すサムネイル画像６４１の一覧が表示され、利用者Ｂの携帯型端末装置２には矢印Ｑ２２に示すサムネイル画像６４１の一覧が表示されたとする。また、各携帯型端末装置２の表示部５８５には、サムネイル画像６４１の一覧とともにボタン６４３乃至ボタン６４５が表示されているが、これらのボタンは表示されないように制御することも可能である。
【０３２２】
このように矢印Ｑ２１および矢印Ｑ２２に示す各サムネイル画像６４１の一覧が表示されている状態において、利用者Ａがサムネイル画像６４１−１を選択し、その直後に利用者Ｂがサムネイル画像６４１−２を選択したとする。
【０３２３】
例えば、表示部５８５に操作部５８７としてのタッチパネルが重畳されている場合には、サムネイル画像６４１の選択は、利用者が表示部５８５上のサムネイル画像６４１が表示されている領域を押圧することにより行なわれる。
【０３２４】
矢印Ｑ２１に示すサムネイル画像６４１の一覧において、利用者Ａによりサムネイル画像６４１−１が選択されると、まだ送信用の編集画像の選択は行なわれていないため、管理サーバ３によりサムネイル画像６４１−１の選択が受け付けられる。そして、矢印Ｑ２３に示すように、利用者Ａの携帯型端末装置２では、サムネイル画像６４１の一覧において、選択されたサムネイル画像６４１−１に文字「選択」などが重畳表示され、選択が受け付けられた旨の表示がされる。
【０３２５】
さらに、利用者Ａの操作等に応じて、矢印Ｑ２４に示すように選択されたサムネイル画像６４１−１が拡大表示されて、選択されたサムネイル画像６４１−１に対応する編集画像が送信用の編集画像として携帯型端末装置２に保存される。
【０３２６】
矢印Ｑ２４に示す画面では、拡大されたサムネイル画像６４１−１として編集画像７０１が全画面表示されており、編集画像７０１には、文字「Sample」が重畳されて表示されている。この文字「Sample」は、編集画像を不正に携帯型端末装置２に保存されてしまうことを防止するために施された加工である。
【０３２７】
このように、編集画像７０１を全画面表示すれば、利用者はダウンロードした編集画像を実際に表示させたときや、編集画像を待受け画面に設定したときの様子を把握することができる。その結果、利用者は、実際に編集画像を携帯型端末装置２に表示させたときに最も見映えのよい編集画像を選択することができるようになる。
【０３２８】
一方、利用者Ｂは、利用者Ａとほぼ同時にサムネイル画像６４１の一覧を表示させ、サムネイル画像６４１−２を選択するが、その選択直前に既に利用者Ａによるサムネイル画像６４１−１の選択が受け付けられているので、利用者Ｂの選択は受け付けられない。
【０３２９】
この場合、矢印Ｑ２２に示す画面が表示されている状態で、利用者Ｂがサムネイル画像６４１−２を選択すると、矢印Ｑ２５に示すようにサムネイル画像６４１−２には、文字「先に選択されているよ」など、選択が受け付けられなかった旨のメッセージが表示される。すなわち、他の利用者により先に選択がされた旨のメッセージが表示される。
【０３３０】
管理サーバ３は、所定の利用者の携帯型端末装置２にサムネイル画像６４１の一覧が表示された後、他の利用者によりサムネイル画像６４１が選択された場合には、所定の利用者によるサムネイル画像６４１の選択を受け付けず、既に選択された旨を表示させる。この場合、所定の利用者は他の利用者が選択したサムネイル画像６４１に対応する編集画像のみを、送信用の編集画像として得ることができる。
【０３３１】
［画像管理処理の説明］
図２８を参照して説明したように、複数の利用者に対して１つの編集画像が提供される場合、管理サーバ３は利用者ごとに電子メールを生成し、編集画像を提供する画像管理処理を行なう。以下、図２９のフローチャートを参照して、管理サーバ３により行なわれる画像管理処理について説明する。
【０３３２】
なお、ステップＳ２９１乃至ステップＳ２９７の処理は図２１のステップＳ１１１乃至ステップＳ１１７の処理と同様であるので、その説明は省略する。
【０３３３】
但し、ステップＳ２９１およびステップＳ２９２では、編集画像とともに複数の利用者のメールアドレスが受信され、保存される。また、ステップＳ２９４およびステップＳ２９５では、保存された各メールアドレスを宛先として携帯サイトのURLを含む電子メールが生成され、送信される。
【０３３４】
そして、ステップＳ２９６およびステップＳ２９７では、電子メールの宛先とされた各携帯型端末装置２の要求に応じて、携帯サイトの各ウェブページが送信される。これにより、例えば図２８の矢印Ｑ２１に示したサムネイル画像６４１の一覧が送信される。
【０３３５】
利用者は、携帯型端末装置２にサムネイル画像６４１の一覧が表示されると、それらのサムネイル画像６４１のなかから、所望のものを選択する。すると、携帯型端末装置２は利用者の操作に応じて、サムネイル画像６４１の選択の受け付けの要求を管理サーバ３に送信する。
【０３３６】
なお、携帯型端末装置２からサムネイル画像６４１の一覧の送信が要求された時点において、既に送信用の編集画像が定められている場合、例えば携帯型端末装置２には、その旨が表示されたサムネイル画像６４１の一覧が送信される。この場合、例えばサムネイル画像６４１の一覧において、送信用の編集画像のサムネイル画像６４１が他のサムネイル画像６４１と異なる表示形式で表示されるようになされ、送信用の編集画像のサムネイル画像６４１しか選択できないようにされる。
【０３３７】
また、サムネイル画像６４１の一覧の送信が要求された時点において、既に送信用の編集画像が定められている場合、送信用の編集画像のサムネイル画像だけが表示されるウェブページが携帯型端末装置２に送信されるようにしてもよい。
【０３３８】
ステップＳ２９８において、受信部５５５は携帯型端末装置２から送信されてきた、サムネイル画像の選択の受け付けの要求を受信し、情報管理部５５１に供給する。
【０３３９】
ステップＳ２９９において、情報管理部５５１は受信部５５５から供給された選択の受け付けの要求に基づいて、その要求を受け付けるか否かを判定する。例えば、既に他の携帯型端末装置２から選択の受け付けの要求を受信し、その要求が受け付けられて、送信用の編集画像として、他の異なる編集画像が選択されている場合、要求を受け付けないと判定される。
【０３４０】
ステップＳ２９９において、要求を受け付けないと判定された場合、ステップＳ３００において情報管理部５５１は送信部５５４を制御して、既にサムネイル画像６４１が選択された旨のメッセージを携帯型端末装置２に送信させる。
【０３４１】
このメッセージを受信した携帯型端末装置２は、例えば図２８の矢印Ｑ２５に示したように、利用者が選択したサムネイル画像６４１に、受信したメッセージを重畳表示させる。なお、既に選択されている旨のメッセージは、サムネイル画像６４１上に限らず、ウェブページ上のどの位置に表示されてもよい。
【０３４２】
また、サムネイル画像６４１の一覧に既にサムネイル画像６４１が選択された旨のメッセージが表示される場合、既に選択されたサムネイル画像６４１が他のサムネイル画像６４１と異なる表示形式で表示されるようにしてもよい。つまり、どのサムネイル画像６４１が選択されたか特定できるような表示とされてもよい。
【０３４３】
既にサムネイル画像６４１が選択されている旨のメッセージが送信されると、その後、処理はステップＳ２９８に戻り、上述した処理が繰り返される。
【０３４４】
これに対して、ステップＳ２９９において、要求を受け付けると判定された場合、その後、ステップＳ３０１およびステップＳ３０２の処理が行なわれて画像管理処理は終了する。なお、これらの処理は図２１のステップＳ１１８およびステップＳ１１９の処理と同様であるので、その説明は省略する。
【０３４５】
但し、サムネイル画像の選択が受け付けられた場合、必要に応じて携帯型端末装置２に対して選択が受け付けられた旨の情報が送信され、携帯型端末装置２側では、例えば図２８の矢印Ｑ２３に示した画面が表示される。そして、その後、ステップＳ３０１において、サムネイル画像（編集画像）の拡大表示用の画像データが送信される。
【０３４６】
また、ステップＳ２９６乃至ステップＳ３０２の処理は、ステップＳ２９４で生成された電子メールが送信された携帯型端末装置２ごとに行なわれる。
【０３４７】
以上のようにして管理サーバ３は、携帯型端末装置２からの要求に応じてサムネイル画像の選択を受け付けて、選択されたサムネイル画像に対応する編集画像を、送信用の編集画像として携帯型端末装置２に提供する。また、管理サーバ３は、携帯型端末装置２からサムネイル画像の選択の受け付けの要求があったとき、既に他の利用者による選択が受け付けられている場合には、選択を受け付けず、既に選択されている旨のメッセージを携帯型端末装置２に送信し、表示させる。
【０３４８】
［画像取得処理の説明］
次に、図３０のフローチャートを参照して、複数の利用者に対して１つの編集画像が提供される場合に携帯型端末装置２により行なわれる画像取得処理について説明する。
【０３４９】
なお、ステップＳ３３１乃至ステップＳ３３４の処理は、図２３のステップＳ１７１乃至ステップＳ１７４の処理と同様であるので、その説明は省略する。
【０３５０】
サムネイル画像の一覧から、送信用の編集画像とする編集画像のサムネイル画像が選択されると、画像取得部６１２は利用者の操作に応じて、サムネイル画像の選択の受け付けの要求を生成し、送信部６１３に供給する。
【０３５１】
ステップＳ３３５において、送信部６１３は画像取得部６１２から供給された選択の受け付けの要求を管理サーバ３に送信する。
【０３５２】
管理サーバ３において、サムネイル画像の選択が受け付けられると、管理サーバ３からは必要に応じて、選択が受け付けられた旨の情報が送信された後、サムネイル画像の拡大表示用の画像データが送信されてくる。この場合、受信部６１４は、管理サーバ３から送信されてきた拡大表示用の画像データを受信し、表示制御部６１１に供給する。
【０３５３】
これに対して、サムネイル画像の選択が受け付けられなかった場合、管理サーバ３からは、既にサムネイル画像が選択されている旨のメッセージが送信されてくるので、受信部６１４はこのメッセージを受信して表示制御部６１１に供給する。
【０３５４】
ステップＳ３３６において、画像取得部６１２は、サムネイル画像の選択が受け付けられたか否かを判定する。
【０３５５】
ステップＳ３３６において、サムネイル画像の選択が受け付けられなかったと判定された場合、ステップＳ３３７において表示制御部６１１は、受信部６１４から供給された、既にサムネイル画像が選択されている旨のメッセージを表示部５８５に供給して表示させる。
【０３５６】
これにより、例えば図２８の矢印Ｑ２５に示す画面が表示部５８５に表示される。既にサムネイル画像が選択されている旨のメッセージが表示されると、その後、処理はステップＳ３３４に戻り、上述した処理が繰り返される。このとき、例えばサムネイル画像の一覧において、既に選択されたサムネイル画像が特定できるように、例えば他のサムネイル画像とは異なる表示形式で選択されたサムネイル画像が表示される。
【０３５７】
一方、ステップＳ３３６において、サムネイル画像の選択が受け付けられたと判定された場合、ステップＳ３３８およびステップＳ３３９の処理が行なわれて、画像取得処理は終了する。なお、これらの処理は図２３のステップＳ１７５およびステップＳ１７６と同様の処理であるので、その説明は省略する。
【０３５８】
以上のようにして、携帯型端末装置２は、サムネイル画像の一覧からサムネイル画像が選択された場合に、既に他の利用者により異なるサムネイル画像が選択されているときには、既にサムネイル画像が選択されている旨のメッセージを表示する。
【０３５９】
これにより、例えば、複数の利用者がほぼ同時に管理サーバ３にアクセスし、所定の利用者が先にサムネイル画像を選択した場合でも、後にサムネイル画像を選択した利用者は、携帯型端末装置２に表示されたメッセージを確認後、サムネイル画像を選択し直して、送信用の編集画像を得ることができる。
【０３６０】
なお、以上においては、利用者によりサムネイル画像が選択されると、他の利用者が異なるサムネイル画像を選択した場合に、既に選択されている旨のメッセージが表示されると説明したが、一旦選択されたサムネイル画像が変更されることも考えられる。
【０３６１】
そこで、一旦、サムネイル画像が選択されても、その選択が決定され、サムネイル画像に対応する編集画像が実際に携帯型端末装置２に保存されるまでは、サムネイル画像の選択が受け付けられるようにしてもよい。
【０３６２】
また、以上においては、１ゲームにつき、複数の利用者に対して１つの編集画像が提供される場合について説明したが、提供される編集画像の数は、１つに限らず２以上であってもよい。例えば、２つの編集画像が提供される場合、サムネイル画像の一覧から２つのサムネイル画像が選択された時点で、他の異なるサムネイル画像を選択しようとした携帯型端末装置２において、既にサムネイル画像が選択されている旨のメッセージが表示される。
【０３６３】
さらに、この実施の形態では、複数の無料会員のそれぞれに対して１つの同じ編集画像が提供されるが、有料会員の利用者は、管理サーバ３に保存されている全ての編集画像を閲覧したり、ダウンロードしたりすることができる。例えば、有料会員の利用者と、無料会員の利用者が一緒にゲームを行なった場合には、無料会員の利用者は、有料会員の利用者がどの編集画像を携帯型端末装置２に保存したかによらず、自分の好みの編集画像を送信用の編集画像として１つだけ選択することができる。
【０３６４】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、例えば図１１の記憶部２０２、図１２の記憶部５１８、図１４の記憶部５８４などにインストールされる。
【０３６５】
なお、プログラムは、本明細書で説明する順序に沿って時系列に処理が行われるプログラムであっても良いし、並列に、あるいは呼び出しが行われたとき等の必要なタイミングで処理が行われるプログラムであっても良い。
【０３６６】
また、本発明の実施の形態は、上述した実施の形態に限定されるものではなく、本発明の要旨を逸脱しない範囲において種々の変更が可能である。
【符号の説明】
【０３６７】
１  写真シール機
２  携帯型端末装置
３  管理サーバ
５１８  記憶部
５５１  情報管理部
５５２  サムネイル画像生成部
５５３  メール生成部
５５４  送信部
５５５  受信部
５８４  記憶部
６１２  画像取得部
６１３  送信部
６１４  受信部
【図１】
0005807774.tif 000002
【図２】
0005807774.tif 000003
【図３】
0005807774.tif 000004
【図４】
0005807774.tif 000005
【図５】
0005807774.tif 000006
【図６】
0005807774.tif 000007
【図７】
0005807774.tif 000008
【図８】
0005807774.tif 000009
【図９】
0005807774.tif 000010
【図１０】
0005807774.tif 000011
【図１１】
0005807774.tif 000012
【図１２】
0005807774.tif 000013
【図１３】
0005807774.tif 000014
【図１４】
0005807774.tif 000015
【図１５】
0005807774.tif 000016
【図１６】
0005807774.tif 000017
【図１７】
0005807774.tif 000018
【図１８】
0005807774.tif 000019
【図１９】
0005807774.tif 000020
【図２０】
0005807774.tif 000021
【図２１】
0005807774.tif 000022
【図２２】
0005807774.tif 000023
【図２３】
0005807774.tif 000024
【図２４】
0005807774.tif 000025
【図２５】
0005807774.tif 000026
【図２６】
0005807774.tif 000027
【図２７】
0005807774.tif 000028
【図２８】
0005807774.tif 000029
【図２９】
0005807774.tif 000030
【図３０】
0005807774.tif 000031